(57)【要約】  HE-LTF送信方法が提供され、方法は、空間-時間ストリームの合計数NSTSに基づいて、HE-LTFフィールドに含まれるOFDMシンボルの数NHELTFを決定するステップと、送信帯域幅およびHE-LTFフィールドのモードに従って、周波数領域におけるHE-LTFシーケンスを決定するステップであって、ここで、周波数領域におけるHE-LTFシーケンスは1xモードにあるHE-LTFフィールドシーケンスのモードを含むがそれに限定されず、これは実施において言及される、ステップと、OFDMシンボルの数NHELTFおよび周波数領域における決定されたHE-LTFシーケンスに従って、時間-領域信号を送信するステップとを含む。前述の解決手段では、PAPR値は比較的低い。
2019501576.tif 000002
【特許請求の範囲】
【請求項１】
通信システムにおけるチャネル推定情報送信方法であって、
空間-時間ストリームの合計数、NSTSに基づいて、高効率ロングトレーニングHE-LTFフィールドのOFDMシンボルの数、NHELTFを決定するステップと、
送信帯域幅および前記HE-LTFのモードに従って、周波数領域におけるHE-LTFシーケンスを決定するステップであって、
80 MHz帯域幅にわたる1x HE-LTFモードにおける周波数領域におけるHE-LTFシーケンスは、
HE-LTF250(-500:4:500) = {-1, -1, +1, +1, +1, +1, +1, -1, -1, -1, +1, +1, -1, -1, +1, -1, +1, -1, -1, -1, -1, -1, -1, +1, +1, -1, -1, +1, -1, +1, -1, -1, -1, -1, -1, +1, +1, -1, -1, +1, -1, +1, -1, +1, +1, +1, +1, +1, -1, -1, +1, +1, -1, +1, -1, +1, -1, -1, -1, -1, +1, -1, -1, -1, -1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, 0, -1, +1, +1, -1, -1, +1, +1, -1, -1, +1, +1, -1, +1, -1, +1, +1, +1, +1, +1, +1, -1, -1, +1, +1, -1, +1, -1, +1, +1, +1, +1, +1, -1, -1, +1, +1, -1, +1, -1, +1, -1, -1, -1, -1, -1, +1, +1, -1, -1, +1, -1, +1, -1, +1, +1, +1, +1, -1, +1, -1, -1, +1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, -1, +1, +1}
に対応し、-500:4:500は、インデックス-500, -496, …, -8, -4, 0, 4, 8, …, 496, および 500を持つサブキャリア上の値が連続して上述の値であることを示し、残りのサブキャリア上の値は0である、ステップと、
OFDMシンボルの前記数、NHELTFおよび周波数領域における前記決定されたHE-LTFシーケンスに従って、時間-領域信号を送信するステップとを含む、チャネル推定情報送信方法。
【請求項２】
通信システムにおけるチャネル推定情報送信方法であって、
プリアンブルにおける信号フィールドで搬送される情報に従って、送信帯域幅BW、空間-時間ストリームの合計数、NSTSおよび高効率ロングトレーニングHE-LTFフィールドのモードを取得するステップと、
空間-時間ストリームの前記合計数、NSTSに基づいて、前記HE-LTFフィールドのOFDMシンボルの数、NHELTFを決定するステップと、
前記送信帯域幅および前記HE-LTFフィールドの前記モードに従って、周波数領域における対応するHE-LTFシーケンスを決定するステップであって、
80 MHz帯域幅にわたる1x HE-LTFモードの周波数領域におけるHE-LTFシーケンスは、
HE-LTF250(-500:4:500) = {-1, -1, +1, +1, +1, +1, +1, -1, -1, -1, +1, +1, -1, -1, +1, -1, +1, -1, -1, -1, -1, -1, -1, +1, +1, -1, -1, +1, -1, +1, -1, -1, -1, -1, -1, +1, +1, -1, -1, +1, -1, +1, -1, +1, +1, +1, +1, +1, -1, -1, +1, +1, -1, +1, -1, +1, -1, -1, -1, -1, +1, -1, -1, -1, -1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, 0, -1, +1, +1, -1, -1, +1, +1, -1, -1, +1, +1, -1, +1, -1, +1, +1, +1, +1, +1, +1, -1, -1, +1, +1, -1, +1, -1, +1, +1, +1, +1, +1, -1, -1, +1, +1, -1, +1, -1, +1, -1, -1, -1, -1, -1, +1, +1, -1, -1, +1, -1, +1, -1, +1, +1, +1, +1, -1, +1, -1, -1, +1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, -1, +1, +1}
に対応し、-500:4:500は、インデックス-500, -496, …, -8, -4, 0, 4, 8, …, 496, および 500を持つサブキャリア上の値が連続して上述の値であることを示し、残りのサブキャリア上の値は0である、ステップと、
前記受信されたHE-LTFフィールドおよび周波数領域における前記決定されたシーケンスに基づいて、対応するサブキャリア位置のチャネル推定値を取得するステップとを含む、チャネル推定情報送信方法。
【請求項３】
通信システムにおけるチャネル推定情報送信方法であって、
空間-時間ストリームの合計数、NSTSに基づいて、高効率ロングトレーニングHE-LTFフィールドのOFDMシンボルの数、NHELTFを決定するステップと、
送信帯域幅および前記HE-LTFフィールドのモードに従って、周波数領域におけるHE-LTFシーケンスを決定するステップであって、
160 M帯域幅にわたる1x HE-LTFモードにおける周波数領域におけるHE-LTFシーケンスは、
HE-LTF500 = [P1×LTF80M_Primary, BI, P2×LTF80M_Secondary]
に対応し、前述の式において、P1は+1であり、P2は+1または-1であり、
LTF80M_Primary = {L-LTF80M_A, 0, R-LTF80M_A}であり、
LTF80M_Secondary = {L-LTF80M_A, 0, -1×R-LTF80M_A}であり、
{L-LTF80M_A, 0, R-LTF80M_A} = HE-LTF250(-500:4:500)であり、
HE-LTF250(-500:4:500) = {-1, -1, +1, +1, +1, +1, +1, -1, -1, -1, +1, +1, -1, -1, +1, -1, +1, -1, -1, -1, -1, -1, -1, +1, +1, -1, -1, +1, -1, +1, -1, -1, -1, -1, -1, +1, +1, -1, -1, +1, -1, +1, -1, +1, +1, +1, +1, +1, -1, -1, +1, +1, -1, +1, -1, +1, -1, -1, -1, -1, +1, -1, -1, -1, -1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, 0, -1, +1, +1, -1, -1, +1, +1, -1, -1, +1, +1, -1, +1, -1, +1, +1, +1, +1, +1, +1, -1, -1, +1, +1, -1, +1, -1, +1, +1, +1, +1, +1, -1, -1, +1, +1, -1, +1, -1, +1, -1, -1, -1, -1, -1, +1, +1, -1, -1, +1, -1, +1, -1, +1, +1, +1, +1, -1, +1, -1, -1, +1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, -1, +1, +1}
であり、-500:4:500は、インデックス-500, -496, …, -8, -4, 0, 4, 8, …, 496, および 500を持つサブキャリア上の値が連続して上述の値であることを示し、残りのサブキャリア上の値は0であり、
前記BIは、2つの80 Mチャネルのエッジ上のサブキャリア間のサブキャリア上で搬送されるシーケンスである、ステップと、
OFDMシンボルの前記数、NHELTFおよび周波数領域における前記決定されたHE-LTFシーケンスに従って、時間-領域信号を送信するステップとを含む、チャネル推定情報送信方法。
【請求項４】
前記160 M帯域幅における一次80 M（LTF80M_Primary）チャネルおよび二次80 M（LTF80M_Secondary）チャネルが隣接している場合、前記BI = {0, 0, 0, 0, 0}であり、または、
前記160 M帯域幅における一次80 M（LTF80M_Primary）チャネルおよび二次80 M（LTF80M_Secondary）チャネルが隣接していない場合、前記BIは全て前記LTF80M_Primaryおよび前記LTF80M_Secondaryのエッジ上のサブキャリア間の周波数間隔に従って決定される0である、請求項3に記載の方法。
【請求項５】
通信システムにおけるチャネル推定情報送信方法であって、
プリアンブルにおける信号フィールドで搬送される情報に従って、送信帯域幅BW、空間-時間ストリームの合計数、NSTSおよび高効率ロングトレーニングHE-LTFフィールドのモードを取得するステップと、
空間-時間ストリームの前記合計数、NSTSに基づいて、前記HE-LTFフィールドに含まれるOFDMシンボルの数、NHELTFを決定するステップと、
前記送信帯域幅および前記HE-LTFフィールドモードに従って、周波数領域における対応するHE-LTFシーケンスを決定するステップであって、
160 M帯域幅にわたる1x HE-LTFモードにおける周波数領域におけるHE-LTFシーケンスは、
HE-LTF500 = [P1×LTF80M_Primary, BI, P2×LTF80M_Secondary]
に対応し、前述の式において、P1は+1であり、P2は+1または-1であり、
LTF80M_Primary = {L-LTF80M_A, 0, R-LTF80M_A}であり、
LTF80M_Secondary = {L-LTF80M_A, 0, -1×R-LTF80M_A}であり、
{L-LTF80M_A, 0, R-LTF80M_A} = HE-LTF250(-500:4:500)であり、
HE-LTF250(-500:4:500) = {-1, -1, +1, +1, +1, +1, +1, -1, -1, -1, +1, +1, -1, -1, +1, -1, +1, -1, -1, -1, -1, -1, -1, +1, +1, -1, -1, +1, -1, +1, -1, -1, -1, -1, -1, +1, +1, -1, -1, +1, -1, +1, -1, +1, +1, +1, +1, +1, -1, -1, +1, +1, -1, +1, -1, +1, -1, -1, -1, -1, +1, -1, -1, -1, -1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, 0, -1, +1, +1, -1, -1, +1, +1, -1, -1, +1, +1, -1, +1, -1, +1, +1, +1, +1, +1, +1, -1, -1, +1, +1, -1, +1, -1, +1, +1, +1, +1, +1, -1, -1, +1, +1, -1, +1, -1, +1, -1, -1, -1, -1, -1, +1, +1, -1, -1, +1, -1, +1, -1, +1, +1, +1, +1, -1, +1, -1, -1, +1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, -1, +1, +1}
であり、-500:4:500は、インデックス-500, -496, …, -8, -4, 0, 4, 8, …, 496, および 500を持つサブキャリア上の値が連続して上述の値であることを示し、残りのサブキャリア上の値は0であり、
前記BIは、2つの80 Mチャネルのエッジ上のサブキャリア間の周波数間隔である、ステップと、
前記受信されたHE-LTFフィールドおよび周波数領域における前記決定されたシーケンスに従って、対応するサブキャリア位置のチャネル推定値を取得するステップとを含む、チャネル推定情報送信方法。
【請求項６】
前記160 M帯域幅における一次80 M（LTF80M_Primary）チャネルおよび二次80 M（LTF80M_Secondary）チャネルが隣接している場合、前記BI = {0, 0, 0, 0, 0}であり、または、
前記160 M帯域幅における一次80 M（LTF80M_Primary）チャネルおよび二次80 M（LTF80M_Secondary）チャネルが隣接していない場合、前記BIは全て前記LTF80M_Primaryおよび前記LTF80M_Secondaryのエッジ上のサブキャリア間の周波数間隔に従って決定される0である、請求項5に記載の方法。
【請求項７】
請求項1に記載の前記方法を実行するように構成される処理ユニットと、インタフェースとを含む、通信システムにおけるチャネル推定情報送信装置。
【請求項８】
プロセッサおよび記憶媒体を含み、前記プロセッサおよび前記記憶媒体は、請求項2に記載の前記方法を実行するように構成される、通信システムにおけるチャネル推定情報送信装置。
【請求項９】
プロセッサおよび記憶媒体を含み、前記プロセッサおよび前記記憶媒体は、請求項3または4に記載の前記方法を実行するように構成される、通信システムにおけるチャネル推定情報送信装置。
【請求項１０】
プロセッサおよび記憶媒体を含み、前記プロセッサおよび前記記憶媒体は、請求項5または6に記載の前記方法を実行するように構成される、通信システムにおけるチャネル推定情報送信装置。
【発明の詳細な説明】
【技術分野】
【０００１】
本願は、2015年11月30日に中国特許庁に出願された、"DATA TRANSMISSION METHOD AND APPARATUS IN WIRELESS LOCAL AREA NETWORK"と題する、中国特許出願番号201510854631.4に対して優先権を主張し、且つ、2015年11月23日に中国特許庁に出願された、"DATA TRANSMISSION METHOD AND APPARATUS IN WIRELESS LOCAL AREA NETWORK"と題する、中国特許出願番号201510823977.8に対して優先権を主張し、その全体が参照によって本明細書に組み込まれる。
【０００２】
本発明は通信分野に関し、詳細には、サービスメッセージ構造方法および装置に関する。
【背景技術】
【０００３】
無線ローカルエリアネットワーク（WLAN）はデータ送信システムであり、無線周波数（Radio Frequency, RF）技術を使用することによって、ツイストペア銅線を含むレガシーローカルエリアネットワークを置き換え、その結果、ユーザは、単純なアクセスアーキテクチャを使用することによって、無線ローカルエリアネットワークを介して情報を送信することができる。WLAN技術の発展および応用は、人々の通信方式や作業方式を大きく変え、人々に前例のない利便性をもたらした。インテリジェント端末の広範な応用は、データネットワークトラフィックに対する人々の高まる要求を伴う。WLANの発展は標準的な策定、普及および応用に依存する。IEEE 802.11ファミリーは主要な標準であり、主に802.11、802.11b/g/a、802.11nおよび802.11acを含む。802.11および802.11bを除く全ての標準において、直交周波数分割多重（Orthogonal Frequency Division Multiplexing, OFDM）技術が、物理層のコア技術として使用される。
【０００４】
チャネル推定は、受信信号に従って、且つ、特定の基準により、送信信号が通過するチャネルのパラメータを推定するプロセスである。無線通信システムの性能は、シャドーフェージングおよび周波数選択性フェージング等、無線チャネルによって大きく影響を受ける。その結果、送信機および受信機間の伝送路は極めて複雑である。固定され、予測可能な有線チャネルとは異なり、無線チャネルは高いランダム性によって特徴付けられる。OFDMシステムのコヒーレント検出において、チャネルが推定される必要があり、チャネル推定精度はシステム全体の性能に直接影響を与える。
【発明の概要】
【課題を解決するための手段】
【０００５】
無線ローカルエリアネットワークのPAPRを低減するために、本発明はHE-LTF送信方法を提供し、方法は、空間-時間ストリームの合計数、NSTSに基づいて、HE-LTFフィールドのOFDMシンボルの数、NHELTFを決定するステップと、送信帯域幅およびHE-LTFフィールドのモードに従って、周波数領域におけるHE-LTFシーケンスを決定するステップであって、ここで、周波数領域におけるHE-LTFシーケンスは1xモードのHE-LTFシーケンスを含むがそれに限定されず、これは実施において言及される、ステップと、OFDMシンボルの数、NHELTFおよび周波数領域における決定されたHE-LTFシーケンスに従って、時間-領域信号を送信するステップとを含む。
【０００６】
加えて、対応して、HE-LTF送信方法が提供され、方法は、プリアンブルにおける信号フィールドで搬送される情報に従って、送信帯域幅BW、空間-時間ストリームの合計数、NSTS、およびHE-LTFフィールドのモードを取得し、空間-時間ストリームの合計数、NSTSに基づいて、HE-LTFフィールドに含まれるOFDMシンボルの数、NHELTFを決定するステップと、送信帯域幅およびHE-LTFフィールドモードに従って、周波数領域における対応するHE-LTFシーケンスを決定するステップであって、ここで、周波数領域におけるHE-LTFシーケンスは、1xモードのHE-LTFシーケンスを含むがそれに限定されず、これは実施において言及される、ステップと、受信されたHE-LTFフィールドおよび周波数領域における決定されたシーケンスに従って、対応するサブキャリア位置のチャネル推定値を取得するステップとを含む。
【０００７】
シミュレーションおよび比較によって、実施形態における1xモードのHE-LTFシーケンスが使用され、その結果システムは極度に低いPAPR値を有する。
【図面の簡単な説明】
【０００８】
本発明の実施形態における、または従来技術における技術的解決手段をより明確に説明するために、以下では、実施形態または従来技術を説明するために必要とされる添付図面を簡潔に説明する。明らかに、以下の説明における添付図面は、本発明のいくつかの実施形態を示し、当業者は、創造的努力無しにこれらの添付図面から他の図面をさらに導出することができる。
【０００９】
【図１】図1は、HE PPDUのフォーマットの簡単な概略図である。
【図２】図2は、20 MHz帯域幅におけるトーンプランの概略図である。
【図３Ａ】図3Aは、40 MHz帯域幅におけるトーンプランの概略図である。
【図３Ｂ】図3Bは、40 MHz帯域幅におけるトーンプランの概略図である。
【図４Ａ】図4Aは、80 MHz帯域幅にわたるトーンプランの概略図である。
【図４Ｂ】図4Bは、80 MHz帯域幅にわたるトーンプランの概略図である。
【図５】図5は、周波数領域における1x、2xおよび4xのOFDMシンボルの簡単な比較の概略図である。
【図６】図6は、実施形態におけるシステムアーキテクチャの簡単な概略図である。
【図７】図7は、SUまたはダウンリンクDL MU MIMOデータパケットの送信中にHE-LTFフィールドを生成および送信する簡単な概略図である。
【図８】図8は、UL MU MIMOデータパケットの送信中、HE-LTFフィールドを生成および送信する簡単な概略図である。
【図９Ａ】図9Aは、実施形態における20 M 1x HE-LTFのサブキャリア位置B上のデータ送信装置の送信端のブロック図である。
【図９Ｂ】図9Bは、実施形態における20 M 1x HE-LTFのサブキャリア位置B上のデータ送信装置の送信端のブロック図である。
【図９Ｃ】図9Cは、実施形態における20 M 1x HE-LTFのサブキャリア位置B上のデータ送信装置の送信端のブロック図である。
【図１０】図10は、実施形態における20 M 1x HE-LTFのサブキャリア位置B上のデータ送信装置の受信端のブロック図である。
【図１１】図11は、実施形態におけるデータ送信装置の簡単な概略図である。
【発明を実施するための形態】
【００１０】
本発明の実施形態の目的、技術的解決手段および利点をより明確にするために、以下では、本発明の実施形態における添付図面を参照して、本発明の実施形態における技術的解決手段を明確且つ完全に説明する。明らかに、説明される実施形態は、本発明の実施形態の一部であって全てではない。創造的努力無しに本発明の実施形態に基づいて当業者によって取得される全ての他の実施形態は、本発明の保護範囲に包含されるべきである。
【００１１】
本発明の実施形態の解決手段は、WLANネットワークシステムに適用可能であってよい。図6は、本発明の実施形態1に係る、無線ローカルエリアネットワークにおけるパイロット送信方法が適用可能であるシナリオの概略図である。図6に示されるように、WLANネットワークシステムは、1つのアクセスポイント101および少なくとも2つの局102を含んでよい。
【００１２】
アクセスポイント（AP, Access Point）はまた、無線アクセスポイント、ブリッジ、ホットスポット等と呼ばれてもよく、サーバまたは通信ネットワークにアクセスすることができる。
【００１３】
局（STA, Station）はまた、ユーザ機器と呼ばれてもよく、Wi-Fi通信機能をサポートするモバイル電話（または“セルラ”電話と呼ばれる）および無線通信機能を持つコンピュータ等の、無線センサ、無線通信端末またはモバイル端末であってよい。例えば、局は、音声またはデータ等の通信データを無線アクセスネットワークと交換する、Wi-Fi通信機能をサポートする、携帯型、ポケットサイズ、ハンドヘルド型、コンピュータ内蔵型、ウェアラブルまたは車載型無線通信装置であってよい。当業者は、いくつかの通信デバイスは、前述のアクセスポイントと前述の局の両方の機能を有してよく、ここでは限定は課されないことを学習する。
【００１４】
OFDM技術をコアとして使用する前述のWLAN標準の共通点は、チャネル推定のために使用されることができるロングトレーニングフィールド（Long Training Sequence, LTF）が物理層で規定されることである。例えば、図1は、高効率（High Efficiency, HE）物理プロトコルデータユニット（Physical Protocol Data Unit, PPDU）の、802.11ax標準で規定されるフォーマットを示す。HE-LTFフィールドは、データ部分のチャネル推定のために使用される高効率ロングトレーニングフィールドである。このフィールドは、1つまたは複数のHE-LTF要素を含んでよく、各要素はOFDMシンボルである。
【００１５】
システムスループットレートを改善するために、OFDMA技術が802.11ax標準に導入される。物理層における対応するサブキャリア間隔は、既存の
【００１６】
【数１】
2019501576.tif 000003
【００１７】
から
【００１８】
【数２】
2019501576.tif 000004
【００１９】
へ低減し、物理層におけるデータ部分のOFDMシンボルのフーリエ変換期間はまた、
【００２０】
【数３】
2019501576.tif 000005
【００２１】
から
【００２２】
【数４】
2019501576.tif 000006
【００２３】
へ変化する。時には、サブキャリア間隔は、
【００２４】
【数５】
2019501576.tif 000007
【００２５】
に変更される。前述の異なるOFDMシンボルのフォーマットはそれぞれ、略して4xモード、2xモードおよび1xモードと呼ばれる。
【００２６】
802.11ax標準が徐々に発展するにつれて、図2から図4Aおよび図4Bは、20 MHz帯域幅、40 MHz帯域幅、80 MHz帯域幅および160/80+80 MHz帯域幅におけるトーンプランを示す。160/80+80 MHz の左の80 MHz帯域幅および右の80 MHz帯域幅におけるトーンプランは、80 MHz帯域幅におけるトーンプランと同じである。トーンプランは、スケジューリング中のリソースユニットの可能な位置およびサイズを示す。
【００２７】
20 MHz帯域幅では、242 RU（Resource Unit, リソースユニット）のパイロットサブキャリア位置は、±22, ±48, ±90, および±116である。40 MHz帯域幅では、484 RUのパイロットサブキャリア位置は、±10, ±36, ±78, ±104, ±144, ±170, ±212, および±238である。80 MHz帯域幅では、996 RUのパイロットサブキャリア位置は、±24, ±92, ±158, ±226, ±266, ±334, ±400, および±468である。
【００２８】
異なるシナリオにおいてシステム効率をさらに改善するために、HE-LTFフィールドは、前述の4xモード、2xモードおよび1xモードにおけるOFDMシンボルをサポートする必要がある。
【００２９】
図5に示されるように、20 MHz帯域幅が例として使用される。サブキャリア位置が、-128, -127, …, -2, -1, 0, 1, 2, …, および127としてマークされる場合、4xモードにおいて、ロングトレーニングシーケンスを搬送するHE-LTF要素におけるサブキャリアは、位置（インデックス）-122, -121, …, -3, -2, 2, 3, …, 121, および122に配置され、残りのサブキャリアは、空のサブキャリアであり、サブキャリア間隔は、
【００３０】
【数６】
2019501576.tif 000008
【００３１】
である。
【００３２】
2xモードでは、ロングトレーニングシーケンスを搬送するHE-LTF要素におけるサブキャリアは、-122, -120, …, -4, -2, 2, 4, …, 120, および122に配置され、残りのサブキャリアは空のサブキャリアである。同等に、サブキャリア位置は、-64, -63, …, -2, -1, 0, 1, 2, …, および63としてマークされてよい。この場合、ロングトレーニングシーケンスを搬送する2xモードにおけるHE-LTF要素におけるサブキャリアは、-61, -60, …, -2, -1, 1, 2, …, 60, および61に配置され、残りのサブキャリアは空のサブキャリアである。この場合、サブキャリア間隔は、
【００３３】
【数７】
2019501576.tif 000009
【００３４】
である。
【００３５】
同様に、1xモードでは、ロングトレーニングシーケンスを搬送するHE-LTF要素におけるサブキャリアは、-120, -116, …, -8, -4, 4, 8, …, 116, および120に配置され、残りのサブキャリアは空のサブキャリアである。同等に、サブキャリア位置は、-32, -31, …, -2, -1, 0, 1, 2, …, および31としてマークされてよい。この場合、1xモードでは、ロングトレーニングシーケンスを搬送するHE-LTF要素におけるサブキャリアは、-30, -29, …, -2, -1, 1, 2, …, 29, および30に配置され、残りのサブキャリアは空のサブキャリアである。この場合、サブキャリア間隔は、
【００３６】
【数８】
2019501576.tif 000010
【００３７】
である。
【００３８】
現在、4x HE-LTFシーケンスおよび2x HE-LTFシーケンスのみが決定され、1x HE-LTFシーケンスは決定されていない。1x HE-LTFシーケンスを定義する方法に関しては未だに未解決である。
【００３９】
11n標準および11ac標準では、サブキャリア間隔は、
【００４０】
【数９】
2019501576.tif 000011
【００４１】
であり、20 MHz HT/VHT LTFシーケンスは、
以下のように定義される：
BB_LTF_L = {+1, +1, -1, -1, +1, +1, -1, +1, -1, +1, +1, +1, +1}
BB_LTF_R = {+1, -1, -1, +1, +1, -1, +1, -1, +1, -1, -1, -1, -1}
LTFleft = {BB_LTF_L, BB_LTF_L} = {+1, +1, -1, -1, +1, +1, -1, +1, -1, +1, +1, +1, +1, +1, +1, -1, -1, +1, +1, -1, +1, -1, +1, +1, +1, +1}
LTFright = {BB_LTF_R, -1×BB_LTF_R} = {+1, -1, -1, +1, +1, -1, +1, -1, +1, -1, -1, -1, -1, -1, +1, +1, -1, -1, +1, -1, +1, -1, +1, +1, +1, +1}
VHT-LTF56(-28:28) = {+1, +1, LTFleft, 0, LTFright, -1, -1}
【００４２】
しかしながら、ロングトレーニングシーケンスを搬送する1x HE-LTF要素におけるサブキャリアは、合計で60個の空でないサブキャリア：-30, -29, …, -2, -1, 1, 2, …, 29, および30に配置される。既存の11nおよび11ac標準におけるLTFシーケンスは、直接使用されることはできない。同様の問題がまた、他の帯域幅にも存在する。
【００４３】
1x HE-LTFは主に、OFDMA通信シナリオよりもOFDM通信シナリオに適用される。異なるRUがスケジュールされるときに生成されるHE-LTFシンボルのPAPR値は考慮される必要がなく、各フル帯域幅におけるOFDM送信中のHE-LTFシンボルのPAPR値、例えば、20 MHzにおける242 RU, 40 MHzにおける484 RUまたは80 MHzにおける996 RUのみが考慮される必要がある。従って、本発明では、優れたPAPRによって特徴付けられるシーケンスBB_LTF_L, BB_LTF_R, LTFleftおよびLTFrightに基づいて、一連の拡張操作がシーケンス上で実行されて、異なる帯域幅における低いPAPRによって特徴付けられる新しい1x HE-LTFシーケンスを取得する。以下のシーケンス-1×BB_LTF_Lは、シーケンスBB_LTF_Lにおける各値の極性が反転されていること、すなわち、1は-1に変更され、-1は1に変更されていることを示す。-1×BB_LTF_R, -1×LTFleft, -1×LTFright等についても同じことが言える。
【００４４】
本発明は、HE-LTFフィールドを生成するプロセスを含む、SU（single user, 単一ユーザ）データパケットまたはDL-MU-MIMO（Down Link Multi-user Multiple in Multiple out, ダウンリンクマルチユーザ多入力多出力）データパケットを送信端によって送信するための方法を提供する。
【００４５】
空間-時間ストリームの合計数、NSTSに基づいて、HE-LTFフィールドのOFDMシンボルの数、NHELTFが決定される。
【００４６】
周波数領域におけるHE-LTFシーケンスは、送信帯域幅およびHE-LTFフィールドのモードに従って決定される。周波数領域におけるHE-LTFシーケンスは、実施において言及されるシーケンスを含むが、それらに限定されない。
【００４７】
時間-領域信号は、OFDMシンボルの数、NHELTFおよび周波数領域における決定されたHE-LTFシーケンスに従って送信される。
【００４８】
具体的には、送信端では、以下のステップが実行される：
【００４９】
101. 空間-時間ストリームの合計数、NSTSに基づいて、HE-LTFフィールドのOFDMシンボルの数、NHELTFを決定する。具体的な対応関係は、以下の表1内に提供される。
【００５０】
【表１】
2019501576.tif 000012
【００５１】
102. 送信帯域幅およびHE-LTFフィールドのモードに従って、周波数領域におけるHE-LTFシーケンスを決定する。例えば、送信帯域幅がBW=20 MHzであり、HE-LTFフィールドのモードが1xモードである場合、周波数領域におけるHE-LTFシーケンスは、対応して実施形態1におけるHE-LTFシーケンスである。
【００５２】
103. NHELTF>1である場合、使用される直交マッピング行列Aが、NHELTF行NHELTF列を含むことを決定する。特に、NHELTF=1である場合、直交マッピング行列Aは1に縮退する。HE-LTFフィールドにおける各OFDMシンボルのサブキャリアによって搬送されるシーケンスの値に、以下の方式で直交マッピング行列Aを掛ける。図7に示されるように、空間-時間ストリームの数がNSTSである場合、HE-LTFフィールドにおけるi番目の空間ストリームのn番目のOFDMシンボルのk番目のサブキャリアによって搬送されるシーケンスの値に、
【００５３】
【数１０】
2019501576.tif 000013
【００５４】
を掛け、ここで、i=1,…NSTS、n=1、L NHELTFである。
【００５５】
直交マッピング行列Aは、
【００５６】
【数１１】
2019501576.tif 000014
【００５７】
として定義され、ここで、
Kpilotは、パイロットサブキャリアセットであり、行列Pは、
【００５８】
【数１２】
2019501576.tif 000015
【００５９】
として定義され、w=exp(-j2π/6)であり、
【００６０】
【数１３】
2019501576.tif 000016
【００６１】
【数１４】
2019501576.tif 000017
【００６２】
【数１５】
2019501576.tif 000018
【００６３】
行列Rは[R]m,n=[P]l,nとして定義される。
【００６４】
104. HE-LTFフィールドにおける各空間-時間ストリーム上で異なる循環シフト遅延を実行する。各空間-時間ストリームに対応する循環シフト値は、以下の表2に示される。
【００６５】
【表２】
2019501576.tif 000019
【００６６】
105. HE-LTFフィールドにおける空間-時間ストリームを、送信チェーンにマッピングする。送信チェーンの合計数がNTXであり、空間-時間ストリームの合計数がNSTSである場合、k番目のサブキャリアのアンテナマッピング行列Qkは、NTX行NSTS列を含む。行列Qkは、802.11n標準の第20.3.11.11.2章において定義される行列であってよい。
【００６７】
106．逆離散フーリエ変換によってHE-LTFフィールドの時間-領域信号を取得して、時間-領域信号(3)を送信する。
【００６８】
受信端では、以下のステップが実行される：
【００６９】
201. プリアンブルにおける信号フィールドで搬送される情報に従って、送信帯域幅BW、空間-時間ストリームの合計数、NSTSおよびHE-LTFフィールドのモードを取得する。HE-LTFフィールドモードはまた、HE-LTFシンボルモード、すなわち、前述の1xモード、2xモードまたは4xモードとも呼ばれる。
【００７０】
202. 空間-時間ストリームの合計数、NSTSに基づいて、HE-LTFフィールドのOFDMシンボルの数、NHELTFを決定する。
【００７１】
203. 送信帯域幅およびHE-LTFフィールドのモードに従って、周波数領域における対応するHE-LTFシーケンスを決定して、受信されたHE-LTFフィールドおよび周波数領域における決定されたHE-LTFシーケンスに基づいて、対応するサブキャリア位置のチャネル推定値を取得する。
【００７２】
別の例では、UL-MU-MIMO（Up Link Multi-user Multiple in Multiple out, アップリンクマルチユーザ多入力多出力）データパケットを送信する間、HE-LTFフィールドを生成する方式と、SUデータパケットまたはDL-MU-MIMOデータパケットを送信する間、HE-LTFフィールドを生成する方式との間に違いがあり、その違いは、非AP局がUL-MU-MIMOデータパケットを送信する前に、APは、トリガフレームを使用することによって、アップリンクスケジューリング情報を示す必要があり、アップリンクスケジューリング情報が、スケジュールされた局、送信帯域幅、空間-時間ストリームの合計数（またはHE-LTFシンボルの数）およびスケジュールされた局に割り当てられた空間ストリームのシーケンス番号の識別子を含むことにある。
【００７３】
送信端においては、以下のステップが実行される：
【００７４】
301. 空間-時間ストリームの合計数、NSTSに基づいて、HE-LTFフィールドのOFDMシンボルの数、NHELTFを決定する。スケジューリング情報がHE-LTFシンボルの数の情報を含む場合、このステップは省略されてよい。
【００７５】
302. 送信帯域幅およびHE-LTFフィールドのモードに従って、周波数領域におけるHE-LTFシーケンスを決定する。例えば、送信帯域幅がBW=40 MHzであり、HE-LTFフィールドのモードが1xモードである場合、周波数領域におけるHE-LTFシーケンスは、対応して、以下の実施形態2におけるHE-LTFシーケンスである。
【００７６】
303. 8×8行列Pにおける送信端（すなわち、スケジュールされたユーザ）に割り当てられた空間ストリームのシーケンス番号に対応する行シーケンスを使用することによって、HE-LTFシーケンス上でマスキング（すなわち、排他的論理和）処理を実行する。例えば、初期HE-LTFシーケンスが{L1,L2,…,Lm}であり、送信端に割り当てられた空間ストリームのシーケンス番号が{i1,i2,i3}である場合、8×8行列Pにおける{i1,i2,i3}番目の行は、マスクシーケンスのために選択される。この場合、i1番目の空間ストリームのマスクされたHE-LTFシーケンスは、
【００７７】
【数１６】
2019501576.tif 000020
【００７８】
であり、modはモジュロ演算を示す。同様に、
【００７９】
【数１７】
2019501576.tif 000021
【００８０】
および
【００８１】
【数１８】
2019501576.tif 000022
【００８２】
が取得されることができる。
【００８３】
304. 使用される直交マッピング行列Aが、NHELTF行NHELTF列を含むことを決定する。HE-LTFフィールドにおける各OFDMシンボルのサブキャリアによって搬送されるシーケンスの値に、以下の方式で、直交マッピング行列Aを掛ける。
【００８４】
例えば、図8に示されるように、送信端（すなわち、スケジュールされたユーザ）に割り当てられた空間ストリームのシーケンス番号が{i1,i2,i3}である場合、HE-LTFフィールドにおけるn番目のOFDMシンボルのk番目のサブキャリアによって搬送されるシーケンスの値
【００８５】
【数１９】
2019501576.tif 000023
【００８６】
に、
【００８７】
【数２０】
2019501576.tif 000024
【００８８】
を掛け、ここで、i=i1,i2,i3であり、n=1, L NHELTFである。任意で、図7における行列Aは、行列Pによって置き換えられてよい。
【００８９】
残りのステップは前述の例のステップと同様であり、詳細はここでは説明されない。
【００９０】
受信端では、UL-MU-MIMO送信であり、APは関連スケジューリング情報を知っているため、チャネル推定アルゴリズムは、直接実行されてよい。
【００９１】
401. 受信されたHE-LTFフィールドおよび既知の周波数領域シーケンスに基づいて、対応するサブキャリア位置のチャネル推定値を取得する。
【００９２】
前述の例におけるCSD値、行列Q等は例でしかなく、他の値が選択され得ることは理解されることができる。これは実施形態では限定されない。
【００９３】
様々な帯域幅における1xモードの好ましいHE-LTFシーケンスは、例を使用することによって以下で説明される。
【００９４】
本発明の実施形態1
【００９５】
シナリオ：20 MHz帯域幅における1x HE-LTFのサブキャリア位置A。
【００９６】
例えば、1x HE-LTFシーケンスを生成するために、2つのシーケンスBB_LTF_Lおよび2つのシーケンスBB_LTF_Rに基づいて、追加の8個のサブキャリア値が追加される。簡単な実施を保証するために、8個のサブキャリア値は{1, -1}から選択される。
【００９７】
最適なシーケンスは、HE-LTF60(-120:4:120) = {BB_LTF_L, +1, -1, -1×BB_LTF_L, -1, -1, 0, +1, +1, BB_LTF_R, -1, -1, BB_LTF_R}であり、または、HE-LTF60(-120:4:120) = {+1, +1, -1, -1, +1, +1, -1, +1, -1, +1, +1, +1, +1, +1, -1, -1, -1, +1, +1, -1, -1, +1, -1, +1, -1, -1, -1, -1, -1, -1, 0, +1, +1, +1, -1, -1, +1, +1, -1, +1, -1, +1, -1, -1, -1, -1, -1, -1, +1, -1, -1, +1, +1, -1, +1, -1, +1, -1, -1, -1, -1}と表されてよい。加えて、シーケンスはまた、シーケンスにおける各値の極性が反転された後（すなわち、+1は-1に変更され、-1は+1に変更され、0は変化しないままである）に得られるシーケンスを含み、残りのサブキャリアは0、すなわち、空のサブキャリアである。ここで、上述のように、-120:4:120は、-120, -116, …, -8, -4, 0, 4, 8, …, 116, および120を表す。この場合、対応するパイロットサブキャリア位置は、±48および±116であり、すなわち、4つのパイロットサブキャリアがある。
【００９８】
単一の空間ストリームの場合、シーケンスに従って生成される1x HE-LTFシンボルのPAPR値はわずか4.1121 dBである。
【００９９】
表3を参照すると、複数の空間ストリームの場合の、データサブキャリアとパイロットサブキャリアとの間のストリーム間の位相差によって引き起こされるPAPR値が表3に列挙されている。位相差は、行列Aによって引き起こされ、行列Aは、11ac標準の第22.3.8.3.5章で定義されている。引き起こされるPAPRフラッピングはわずか0.2586 dBであり、最大PAPR値は4.2136である。既存の4x HE-LTFシンボルのPAPR値と既存の2x HE-LTFシンボルのPAPR値の両方は、20 MHz帯域幅において5 dBよりも大きい。
【０１００】
【表３】
2019501576.tif 000025
【０１０１】
最適以下のシーケンスは、HE-LTF60(-120:4:120) = {+1, -1, -1, BB_LTF_L, -1, BB_LTF_L, 0, BB_LTF_R, -1, -1×BB_LTF_R, +1, +1, -1}であり、または、HE-LTF60(-120:4:120) = {+1, -1, -1, +1, +1, -1, -1, +1, +1, -1, +1, -1, +1, +1, +1, +1, -1, +1, +1, -1, -1, +1, +1, -1, +1, -1, +1, +1, +1, +1, 0, +1, -1, -1, +1, +1, -1, +1, -1, +1, -1, -1, -1, -1, -1, -1, +1, +1, -1, -1, +1, -1, +1, -1, +1, +1, +1, +1, +1, +1, -1}と表されてよい。加えて、シーケンスはまた、シーケンスにおける各値の極性が反転された後（すなわち、+1は-1に変更され、-1は+1に変更され、0は変化しないままである）に得られるシーケンスを含み、残りのサブキャリアは0である。
【０１０２】
単一の空間ストリームの場合、シーケンスに従って生成される1x HE-LTFシンボルのPAPR値はわずか4.0821 dBである。
【０１０３】
表4を参照すると、複数の空間ストリームの場合の、データサブキャリアとパイロットサブキャリアとの間のストリーム間の位相差によって引き起こされるPAPR値が表4に列挙されている。位相差は、行列Aによって引き起こされ、行列Aは、11ac標準の第22.3.8.3.5章で定義されている。複数の空間ストリームの場合の、データサブキャリアとパイロットサブキャリアとの間のストリーム間位相差によって引き起されるPAPRフラッピングは0.2398 dBであり、最大PAPR値は4.3219 dBである。
【０１０４】
【表４】
2019501576.tif 000026
【０１０５】
本発明の実施形態2
【０１０６】
シナリオ：20 MHz帯域幅における1x HE-LTFのサブキャリア位置B。
【０１０７】
チャネル推定における補間操作を容易にするために、20 MHz帯域幅における1xモードのHE-LTFの別のサブキャリア位置パターンは、-122:4:122である。例えば、1x HE-LTFシーケンスを生成するために、シーケンスBB_LTF_L, BB_LTF_R, LTFleft, およびLTFrightに基づいて、追加の10個のサブキャリア値が追加される。簡単な実施を保証するために、10個のサブキャリア値が{1, -1}から選択される。最適なシーケンスは、HE-LTF62(-122:4:122) = {LTFright, -1, +1, -1, -1, +1, -1, -1, -1, +1, +1, LTFleft}であり、または、HE-LTF62(-122:4:122) = {+1, -1, -1, +1, +1, -1, +1, -1, +1, -1, -1, -1, -1, -1, +1, +1, -1, -1, +1, -1, +1, -1, +1, +1, +1, +1, -1, +1, -1, -1, +1, -1, -1, -1, +1, +1, +1, +1, -1, -1, +1, +1, -1, +1, -1, +1, +1, +1, +1, +1, +1, -1, -1, +1, +1, -1, +1, -1, +1, +1, +1, +1}と表されてよい。加えて、シーケンスはまた、シーケンスにおける各値の極性が反転された後（すなわち、+1は+1に変更され、-1は+1に変更され、0は変化しないままである）に得られるシーケンスを含み、残りのサブキャリアは0、すなわち、空のサブキャリアである。ここで、上述のように、-122:4:122は、-122, -118, …, -6, -2, 2, 6, …, 118, および122を表す。この場合、対応するパイロットサブキャリア位置は、±22および±90であり、すなわち、4つのパイロットサブキャリアがある。
【０１０８】
単一の空間ストリームの場合、シーケンスに従って生成される1x HE-LTFシンボルのPAPR値はわずか3.7071 dBである。
【０１０９】
表5を参照すると、複数の空間ストリームの場合の、データサブキャリアとパイロットサブキャリアとの間のストリーム間の位相差によって引き起こされるPAPR値が表5に列挙されている。位相差は、行列Aによって引き起こされ、行列Aは、11ac標準の第22.3.8.3.5章で定義されている。複数の空間ストリームの場合の、データサブキャリアとパイロットサブキャリアとの間のストリーム間位相差（行列Pによって引き起こされ、ここで、行列Pは、11ac標準の第22.3.8.3.5章で定義されている）によって引き起されるPAPRフラッピングはわずか0.2657であり、最大PAPR値は3.9728である。既存の4x HE-LTFシンボルのPAPR値および既存の2x HE-LTFシンボルのPAPR値の両方は、20 MHz帯域幅における5 dBよりも大きい。
【０１１０】
【表５】
2019501576.tif 000027
【０１１１】
最適以下のシーケンスは、HE-LTF62(-122:4:122) = {BB_LTF_L, +1, +1, -1, -1×BB_LTF_L, -1, -1, +1, -1, -1×BB_LTF_R, +1, -1, - 1, -1×BB_LTF_R}であり、または、HE-LTF62(-122:4:122) = {+1, +1, -1, -1, +1, +1, -1, +1, -1, +1, +1, +1, +1, +1, +1, -1, -1, -1, +1, +1, -1, -1, +1, -1, +1, -1, -1, -1, -1, -1, -1, +1, -1, -1, +1, +1, -1, -1, +1, -1, +1, -1, +1, +1, +1, +1, +1, -1, -1, -1, +1, +1, -1, -1, +1, -1, +1, -1, +1, +1, +1, +1}と表されてよい。加えて、シーケンスはまた、シーケンスにおける各値の極性が反転された後（すなわち、+1は-1に変更され、-1は+1に変更され、0は変化しないままである）に得られるシーケンスを含み、残りのサブキャリアは0である。
【０１１２】
単一の空間ストリームの場合、シーケンスに従って生成される1x HE-LTFシンボルのPAPR値はわずか3.8497dBである。
【０１１３】
表6を参照すると、複数の空間ストリームの場合の、データサブキャリアとパイロットサブキャリアとの間のストリーム間の位相差によって引き起こされるPAPR値が表6に列挙されている。複数の空間ストリームの場合の、データサブキャリアとパイロットサブキャリアとの間のストリーム間位相差によって引き起されるPAPRフラッピングは0.4069であり、最大PAPR値は4.2566 dBである。
【０１１４】
【表６】
2019501576.tif 000028
【０１１５】
本発明の実施形態2については、20 MHz帯域幅における1xモードのHE-LTFのサブキャリア位置Bのシナリオでは、1x HE-LTFシーケンスに対してIFFT操作が行われた後に得られる時間領域シーケンスは、LTFt = {LTFtq, -1×LTFtq, LTFtq, -1×LTFtq}であり、ここで、LTFtqは時間領域シーケンスの最初の1/4であることは留意されるべきである。送信端は、循環プレフィックス（CP、またはGIと呼ばれる）が追加されたLTFtqシーケンスTx_LTFtqを直接送信してよい。CPシーケンスは、切捨て前に存在する元のシーケンス（すなわち、シーケンスLTFt）に対して得られるCPシーケンスであることは留意されるべきである。送信端が256点IFFTを使用する場合、図9Aに対して参照が行われてよい。図9Aは、20 M 1x HE-LTFのサブキャリア位置B上の送信端の簡単な概略図である。最後に、時間ウィンドウ操作および送信が実行される。
【０１１６】
別の同等の解決手段では、送信端は、1x HE-LTFシーケンスに対してIFFT操作を実行して、LTFt = {LTFtq, -1×LTFtq, LTFtq, -1×LTFtq}である時間領域シーケンスを取得してよく、ここで、LTFtqは、時間領域シーケンスの最初の1/4である。次いで、最初の1/4は、シーケンスLTFtqを取得するために切り捨てられて、LTFtqのCPは、切捨てによって得られたシーケンスLTFtqのために得られる。次いで、CPシーケンスのシンボルがネゲートされた（すなわち、CP内の全ての値がネゲートされる）後、CPシーケンスがLTFtq前に追加されて、送信シーケンスTx_LTFtqを取得する。最後に、時間ウィンドウ操作および送信が実行される。送信端が256点のIFFTを使用する場合、図9Bに対して参照が行われてよい。図9Bは、20 M 1x HE-LTFのサブキャリア位置B上の送信端の簡単な同等概略図である。
【０１１７】
別の同等の解決手段では、送信端は、1x HE-LTFシーケンスに対してIFFT操作を実行して、LTFt = {LTFtq, -1×LTFtq, LTFtq, -1×LTFtq}である時間領域シーケンスを取得してよく、ここで、LTFtqは、時間領域シーケンスの最初の1/4である。次いで、LTFtのCPは、シーケンスLTFtのために取得され、シーケンスLTFtpを得るためにLTFtの前に追加される。次いで、シーケンスLTFtpのCPおよびLTFtの最初の1/4部分（すなわち、CPおよびLTFtq）が切り捨てられて、送信シーケンスTx_LTFtqを取得する。最後に、時間ウィンドウ操作および送信が実行される。送信端が256点のIFFTを使用する場合、図9Cに対して参照が行われてよい。図9Cは、20 M 1x HE-LTFのサブキャリア位置B上の送信端の簡単な同等概略図である。
【０１１８】
これに対応して、受信端によって受信された1x HE-LTF時間シーケンスはRx_LTFtqrであり、LTFtqrはCPが除去された後に得られると想定される。受信端は、最初に、時間シーケンスをLTFtr = {LTFtqr, -1×LTFtqr, LTFtqr, -1×LTFtqr}に拡張してよく、次いで、時間シーケンスLTFtrに対してFFT操作を実行してよい。受信端が256点FFTを使用する場合、図10に対して参照が行われてよい。図10は、20 M 1x HE-LTFのサブキャリア位置B上の受信端の簡単な概略図である。
【０１１９】
図10では、受信端の1x HE-LTF部分によって受信される時間シーケンスはRx_LTFtqであり、シーケンスLTFtqrはフロントCPが除去された後に得られる。次いで、LTFtqrが4回繰り返され、2回目の繰返しにおけるシンボルおよび4回目の繰返しにおけるシンボルは、LTFtr = {LTFtqr, -1×LTFtqr, LTFtqr, -1×LTFtqr}を取得するためにネゲートされる。次いで、256点のFFT操作がLTFtrに対して実行されて、1x Rx_HE-LTFと呼ばれる受信された1x HE-LTF周波数領域シーケンスを取得する。
【０１２０】
本発明の実施形態3
【０１２１】
シナリオ：40 MHz帯域幅。
【０１２２】
LTFleftおよびLTFrightのシーケンスの2つのグループに基づいて、追加の18個のサブキャリア値が追加され、1x HE-LTFシーケンスを生成する。簡単な実施を保証するために、18個のサブキャリア値は{1, -1}から選択される。
【０１２３】
例えば、シーケンスはHE-LTF122(-244:4:244) = {LTFright, -1, LTFright, -1, -1, -1, +1, +1, -1, -1, -1, 0, +1, +1, +1, -1, -1, -1, -1, +1, -1×LTFleft, +1, LTFleft}であり、または、HE-LTF122(244:4:244) = {+1, -1, -1, +1, +1, -1, +1, -1, +1, -1, -1, -1, -1, -1, +1, +1, -1, -1, +1, -1, +1, -1, +1, +1, +1, +1, -1, +1, -1, -1, +1, +1, -1, +1, -1, +1, -1, -1, -1, -1, -1, +1, +1, -1, -1, +1, -1, +1, -1, +1, +1, +1, +1, -1, -1, -1, +1, +1, -1, -1, -1, 0, +1, +1, +1, -1, -1, -1, -1, +1, -1, -1, +1, +1, -1, -1, +1, -1, +1, -1, -1, -1, -1, -1, -1, +1, +1, -1, -1, +1, -1, +1, -1, -1, -1, -1, +1, +1, +1, -1, -1, +1, +1, -1, +1, -1, +1, +1, +1, +1, +1, +1, -1, -1, +1, +1, -1, +1, -1, +1, +1, +1, +1}と表されてよい。加えて、シーケンスはまた、シーケンスにおける各値の極性が反転された後（すなわち、1は-1に変更され、-1は1に変更され、0は変化しないままである）に得られるシーケンスを含み、残りのサブキャリアは0、すなわち、空のサブキャリアである。ここで、-244:4:244は、-244, -240, …, -8, -4, 0, 4, 8, …, 240, および244を表す。この場合、対応するパイロットサブキャリア位置は、±36、±104、±144および±212であり、すなわち、8つのパイロットサブキャリアがある。
【０１２４】
単一の空間ストリームの場合、シーケンスに従って生成される1x HE-LTFシンボルのPAPR値は、わずか4.6555 dBである。
【０１２５】
表7を参照すると、複数の空間ストリームの場合の、データサブキャリアとパイロットサブキャリアとの間のストリーム間の位相差によって引き起こされるPAPR値が表7に列挙されている。位相差は、行列Aによって引き起こされ、行列Aは、11ac標準の第22.3.8.3.5章で定義されている。複数の空間ストリームの場合の、データサブキャリアとパイロットサブキャリアとの間のストリーム間の位相差によって引き起こされるPAPRフラッピングはわずか0.5273 dBであり、最大PAPR値は4.6555 dBである。最悪の場合、既存の4x HE-LTFシンボルのPAPR値と既存の2x HE-LTFシンボルのPAPR値の両方は、40 MHz帯域幅において6 dBよりも大きい。
【０１２６】
【表７】
2019501576.tif 000029
【０１２７】
最適以下のシーケンスはHE-LTF122(-244:4:244) = {LTFright, -1, +1, +1, +1, -1, +1, -1, -1, +1, -1×LTFleft, 0, -1×LTFright, +1, -1, -1, -1, -1, +1, +1, +1, +1, -1×LTFleft}であり、または、HE-LTF122(244:4:244) = {+1, -1, -1, +1, +1, -1, +1, -1, +1, -1, -1, -1, -1, -1, +1, +1, -1, -1, +1, -1, +1, -1, +1, +1, +1, +1, -1, +1, +1, +1, -1, +1, -1, -1, +1, -1, -1, +1, +1, -1, -1, +1, -1, +1, -1, -1, -1, -1, -1, -1, +1, +1, -1, -1, +1, -1, +1, -1, -1, -1, -1, 0, -1, +1, +1, -1, -1, +1, -1, +1, -1, +1, +1, +1, +1, +1, -1, -1, +1, +1, -1, +1, -1, +1, -1, -1, -1, -1, +1, -1, -1, -1, -1, +1, +1, +1, +1, -1, -1, +1, +1, -1, -1, +1, -1, +1, -1, -1, -1, -1, -1, -1, +1, +1, -1, -1, +1, -1, +1, -1, -1, -1, -1}と表されてよい。加えて、シーケンスはまた、シーケンスにおける各値の極性が反転された後（すなわち、+1は-1に変更され、-1は+1に変更され、0は変化しないままである）に得られるシーケンスを含み、残りのサブキャリアは0、すなわち、空のサブキャリアである。ここで、-244:4:244は、-244, -240, …, -8, -4, 0, 4, 8, …, 240, および244を表す。この場合、対応するパイロットサブキャリア位置は、±36、±104、±144および±212であり、すなわち、8つのパイロットサブキャリアがある。
【０１２８】
単一の空間ストリームの場合、シーケンスに従って生成される1x HE-LTFシンボルのPAPR値は、わずか4.6831 dBである。
【０１２９】
表8を参照すると、複数の空間ストリームの場合の、データサブキャリアとパイロットサブキャリアとの間のストリーム間の位相差によって引き起こされるPAPR値が表8に列挙されている。位相差は、行列Aによって引き起こされ、行列Aは、11ac標準の第22.3.8.3.5章で定義されている。複数の空間ストリームの場合の、データサブキャリアとパイロットサブキャリアとの間のストリーム間の位相差によって引き起こされるPAPRフラッピングはわずか0.3397 dBであり、最大PAPR値は4.8335 dBである。最悪の場合、既存の4x HE-LTFシンボルのPAPR値と既存の2x HE-LTFシンボルのPAPR値の両方は、40 MHz帯域幅において6 dBよりも大きい。
【０１３０】
【表８】
2019501576.tif 000030
【０１３１】
さらに最適以下のシーケンスはHE-LTF122(-244:4:244) = {+1, +1, +1, LTFleft, +1, LTFright, +1, -1, -1, +1, -1, 0, +1, -1×LTFleft, -1, -1×LTFright, -1, -1, +1, +1, -1, +1, -1}であり、または、HE-LTF122(244:4:244) = {+1, +1, +1, +1, +1, -1, -1, +1, +1, -1, +1, -1, +1, +1, +1, +1, +1, +1, -1, -1, +1, +1, -1, +1, -1, +1, +1, +1, +1, +1, +1, -1, -1, +1, +1, -1, +1, -1, +1, -1, -1, -1, -1, -1, +1, +1, -1, -1, +1, -1, +1, -1, +1, +1, +1, +1, +1, -1, -1, +1, -1, 0, +1, -1, -1, +1, +1, -1, -1, +1, -1, +1, -1, -1, -1, -1, -1, -1, +1, +1, -1, -1, +1, -1, +1, -1, -1, -1, -1, -1, -1, +1, +1, -1, -1, +1, -1, +1, -1, +1, +1, +1, +1, +1, -1, -1, +1, +1, -1, +1, -1, +1, -1, -1, -1, -1, -1, -1, +1, +1, -1, +1, -1}と表されてよい。加えて、シーケンスはまた、シーケンスにおける各値の極性が反転された後（すなわち、+1は-1に変更され、-1は+1に変更され、0は変化しないままである）に得られるシーケンスを含み、残りのサブキャリアは0、すなわち、空のサブキャリアである。ここで、-244:4:244は、-244, -240, …, -8, -4, 0, 4, 8, …, 240, および244を表す。この場合、対応するパイロットサブキャリア位置は、±36、±104、±144および±212であり、すなわち、8つのパイロットサブキャリアがある。
【０１３２】
単一の空間ストリームの場合、シーケンスに従って生成される1x HE-LTFシンボルのPAPR値はわずか5.1511 dBである。
【０１３３】
表9を参照すると、複数の空間ストリームの場合の、データサブキャリアとパイロットサブキャリアとの間のストリーム間の位相差によって引き起こされるPAPR値が表9に列挙されている。位相差は、行列Aによって引き起こされ、行列Aは、11ac標準の第22.3.8.3.5章で定義されている。複数の空間ストリームの場合の、データサブキャリアとパイロットサブキャリアとの間のストリーム間の位相差によって引き起こされるPAPRフラッピングはわずか0.1 dBであり、最大PAPR値は5.1511 dBである。最悪の場合、既存の4x HE-LTFシンボルのPAPR値と既存の2x HE-LTFシンボルのPAPR値の両方は、40 MHz帯域幅において6 dBよりも大きい。
【０１３４】
【表９】
2019501576.tif 000031
【０１３５】
依然として最適以下のシーケンスはHE-LTF122(-244:4:244) = {+1, +1, -1, LTFleft, +1, LTFright, +1, +1, -1, +1, +1, 0, -1, -1×LTFleft, -1, -1×LTFright, -1, +1, +1, +1, +1, +1, -1}であり、または、HE-LTF122(244:4:244) = {+1, +1, -1, +1, +1, -1, -1, +1, +1, -1, +1, -1, +1, +1, +1, +1, +1, +1, -1, -1, +1, +1, -1, +1, -1, +1, +1, +1, +1, +1, +1, -1, -1, +1, +1, -1, +1, -1, +1, -1, -1, -1, -1, -1, +1, +1, -1, -1, +1, -1, +1, -1, +1, +1, +1, +1, +1, +1, -1, +1, +1, 0, -1, -1, -1, +1, +1, -1, -1, +1, -1, +1, -1, -1, -1, -1, -1, -1, +1, +1, -1, -1, +1, -1, +1, -1, -1, -1, -1, -1, -1, +1, +1, -1, -1, +1, -1, +1, -1, +1, +1, +1, +1, +1, -1, -1, +1, +1, -1, +1, -1, +1, -1, -1, -1, -1, -1, +1, +1, +1, +1, +1, -1}と表されてよい。加えて、シーケンスはまた、シーケンスにおける各値の極性が反転された後（すなわち、+1は-1に変更され、-1は+1に変更され、0は変化しないままである）に得られるシーケンスを含み、残りのサブキャリアは0、すなわち、空のサブキャリアである。
【０１３６】
単一の空間ストリームの場合、シーケンスに従って生成される1x HE-LTFシンボルのPAPR値はわずか4.9848 dBである。
【０１３７】
表10を参照すると、複数の空間ストリームの場合の、データサブキャリアとパイロットサブキャリアとの間のストリーム間の位相差によって引き起こされるPAPR値が表10に列挙されている。位相差は、行列Aによって引き起こされ、行列Aは、11ac標準の第22.3.8.3.5章で定義されている。複数の空間ストリームの場合の、データサブキャリアとパイロットサブキャリアとの間のストリーム間の位相差によって引き起こされるPAPRフラッピングは0.3083 dBであり、最大PAPR値は5.2026 dBである。
【０１３８】
【表１０】
2019501576.tif 000032
【０１３９】
本発明の実施形態4
【０１４０】
シナリオ：80 MHz帯域幅。
【０１４１】
LTFleftおよびLTFrightのシーケンスの2つのグループに基づいて、追加の42個のサブキャリア値が追加され、1x HE-LTFシーケンスを生成する。簡単な実施を保証するために、42個のサブキャリア値は{+1, -1}から選択される。
最適なシーケンスは、HE-LTF250(-500:4:500) = {-1, -1, +1, +1, +1, +1, +1, -1, -1×LTFleft, -1×LTFright, +1, -1, -1, -1, -1, -1, -1, +1, LTFleft, -1×LTFright, +1, -1, +1, -1, -1, +0, -1, +1, +1, -1, -1, LTFleft, LTFright, -1, +1, -1, -1, +1, -1, -1, +1, LTFleft, -1×LTFright, +1, -1, +1, -1, -1, -1, +1, +1}であり、または、HE-LTF250(-500:4:500) = {-1, -1, +1, +1, +1, +1, +1, -1, -1, -1, +1, +1, -1, -1, +1, -1, +1, -1, -1, -1, -1, -1, -1, +1, +1, -1, -1, +1, -1, +1, -1, -1, -1, -1, -1, +1, +1, -1, -1, +1, -1, +1, -1, +1, +1, +1, +1, +1, -1, -1, +1, +1, -1, +1, -1, +1, -1, -1, -1, -1, +1, -1, -1, -1, -1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, 0, -1, +1, +1, -1, -1, +1, +1, -1, -1, +1, +1, -1, +1, -1, +1, +1, +1, +1, +1, +1, -1, -1, +1, +1, -1, +1, -1, +1, +1, +1, +1, +1, -1, -1, +1, +1, -1, +1, -1, +1, -1, -1, -1, -1, -1, +1, +1, -1, -1, +1, -1, +1, -1, +1, +1, +1, +1, -1, +1, -1, -1, +1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, -1, +1, +1}と表されてよい。
加えて、シーケンスはまた、シーケンスにおける各値の極性が反転された後（すなわち、+1は-1に変更され、-1は1に変更され、0は変化しないままである）に得られるシーケンスを含み、残りのサブキャリアは0、すなわち、空のサブキャリアである。ここで、-500:4:500は、-500, -496, …, -8, -4, 0, 4, 8, …, 496, および500を表す。この場合、対応するパイロットサブキャリア位置は、±24、±92、±400および±468であり、すなわち、8つのパイロットサブキャリアがある。単一の空間ストリームの場合、シーケンスに従って生成される1x HE-LTFシンボルのPAPR値は、わずか4.8609 dBである。複数の空間ストリームの場合の、データサブキャリアとパイロットサブキャリアとの間のストリーム間の位相差によって引き起こされるPAPRフラッピングはわずか0.1413 dBであり、最大PAPR値は5.0022 dBである。最悪の場合、既存の4x HE-LTFシンボルのPAPR値と既存の2x HE-LTFシンボルのPAPR値の両方は、80 MHz帯域幅において6 dBよりも大きい。ここで、本明細書における最適なシーケンスは、シーケンスの左部分および右部分が160 M 1x HE-LTFシーケンスのグループを形成するために優れた性能と組み合わせられることができることを意味することは、留意されるべきである。
【０１４２】
前述の実施におけるシーケンスは、4ビット毎に表されるシーケンスであり、間隔位置上で0によって表現される。当業者は、80 M帯域幅において、別の方式で表現される、1x HE-LTFシーケンスを直接且つ間違いなく取得することができる。例えば、別の位置の値0が補われる。当業者は、シーケンスが前述のシーケンスと本質的に同一であり、異なる表現方式のみが使用され、且つ、技術的解決手段の本質が影響を受けないことを理解することができる。
【０１４３】
【数２１】
2019501576.tif 000033
【０１４４】
【表１１】
2019501576.tif 000034
【０１４５】
最適以下のシーケンスはHE-LTF250(-500:4:500) = {+1, -1, -1, +1, -1, +1, +1, -1, LTFleft, LTFright, +1, +1, -1, +1, +1, -1, -1, -1, LTFleft, -1×LTFright, +1, -1, -1, -1, -1, 0, +1, +1, +1, -1, -1, LTFleft, LTFright, -1, +1, +1, +1, +1, -1, +1, -1, -1×LTFleft, LTFright, +1, +1, +1, +1, -1, -1, -1, +1}であり、または、HE-LTF250(-500:4:500) = {+1, -1, -1, +1, -1, +1, +1, -1, +1, +1, -1, -1, +1, +1, -1, +1, -1, +1, +1, +1, +1, +1, +1, -1, -1, +1, +1, -1, +1, -1, +1, +1, +1, +1, +1, -1, -1, +1, +1, -1, +1, -1, +1, -1, -1, -1, -1, -1, +1, +1, -1, -1, +1, -1, +1, -1, +1, +1, +1, +1, +1, +1, -1, +1, +1, -1, -1, -1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, -1, -1, -1, 0, +1, +1, +1, -1, -1, +1, +1, -1, -1, +1, +1, -1, +1, -1, +1, +1, +1, +1, +1, +1, -1, -1, +1, +1, -1, +1, -1, +1, +1, +1, +1, +1, -1, -1, +1, +1, -1, +1, -1, +1, -1, -1, -1, -1, -1, +1, +1, -1, -1, +1, -1, +1, -1, +1, +1, +1, +1, -1, +1, +1, +1, +1, -1, +1, -1, -1, -1, +1, +1, -1, -1, +1, -1, +1, -1, -1, -1, -1, -1, -1, +1, +1, -1, -1, +1, -1, +1, -1, -1, -1, -1, +1, -1, -1, +1, +1, -1, +1, -1, +1, -1, -1, -1, -1, -1, +1, +1, -1, -1, +1, -1, +1, -1, +1, +1, +1, +1, +1, +1, +1, +1, -1, -1, -1, +1}と表されてよい。加えて、シーケンスはまた、シーケンスにおける各値の極性が反転された後（すなわち、+1は-1に変更され、-1は+1に変更され、0は変化しないままである）に得られるシーケンスを含み、残りのサブキャリアは0であり、すなわち、空のサブキャリアである。ここで、-500:4:500は、-500, -496, …, -8, -4, 0, 4, 8, …, 496, および500を表す。この場合、対応するパイロットサブキャリア位置は、±24、±92、±400および±468であり、すなわち、8つのパイロットサブキャリアがある。
【０１４６】
単一の空間ストリームの場合、シーケンスに従って生成される1x HE-LTFシンボルのPAPR値はわずか4.8024 dBである。
【０１４７】
表11を参照すると、複数の空間ストリームの場合の、データサブキャリアとパイロットサブキャリアとの間のストリーム間の位相差によって引き起こされるPAPR値が表11に列挙されている。複数の空間ストリームの場合の、データサブキャリアとパイロットサブキャリアとの間のストリーム間の位相差によって引き起こされるPAPRフラッピングはわずか0.1324 dBであり、最大PAPR値は4.9348 dBである。最悪の場合、既存の4x HE-LTFシンボルのPAPR値と既存の2x HE-LTFシンボルのPAPR値の両方は、80 MHz帯域幅において6 dBよりも大きい。
【０１４８】
【表１２】
2019501576.tif 000035
【０１４９】
さらに最適以下のシーケンスはHE-LTF250(-500:4:500) = {-1, +1, +1, +1, -1, +1, +1, +1, -1×LTFleft, -1×LTFright, +1, -1, -1, -1, -1, -1, +1, +1, LTFleft, -1×LTFright, +1, -1, +1, -1, -1, +0, +1, -1, +1, +1, +1, -1×LTFleft, -1×LTFright, +1, -1, +1, +1, -1, -1, +1, -1, -1×LTFleft, LTFright, -1, +1, +1, +1, +1, -1, -1, -1}であり、または、HE-LTF250(-500:4:500) = {-1, +1, +1, +1, -1, +1, +1, +1, -1, -1, +1, +1, -1, -1, +1, -1, +1, -1, -1, -1, -1, -1, -1, +1, +1, -1, -1, +1, -1, +1, -1, -1, -1, -1, -1, +1, +1, -1, -1, +1, -1, +1, -1, +1, +1, +1, +1, +1, -1, -1, +1, +1, -1, +1, -1, +1, -1, -1, -1, -1, +1, -1, -1, -1, -1, -1, +1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, +0, +1, -1, +1, +1, +1, -1, -1, +1, +1, -1, -1, +1, -1, +1, -1, -1, -1, -1, -1, -1, +1, +1, -1, -1, +1, -1, +1, -1, -1, -1, -1, -1, +1, +1, -1, -1, +1, -1, +1, -1, +1, +1, +1, +1, +1, -1, -1, +1, +1, -1, +1, -1, +1, -1, -1, -1, -1, +1, -1, +1, +1, -1, -1, +1, -1, -1, -1, +1, +1, -1, -1, +1, -1, +1, -1, -1, -1, -1, -1, -1, +1, +1, -1, -1, +1, -1, +1, -1, -1, -1, -1, +1, -1, -1, +1, +1, -1, +1, -1, +1, -1, -1, -1, -1, -1, +1, +1, -1, -1, +1, -1, +1, -1, +1, +1, +1, +1, -1, +1, +1, +1, +1, -1, -1, -1}と表されてよい。加えて、シーケンスはまた、シーケンスにおける各値の極性が反転された後（すなわち、+1は-1に変更され、-1は+1に変更され、0は変化しないままである）に得られるシーケンスを含み、残りのサブキャリアは0、すなわち空のサブキャリアである。
【０１５０】
単一の空間ストリームの場合、シーケンスに従って生成される1x HE-LTFシンボルのPAPR値はわずか4.97 dBである。
【０１５１】
表12を参照すると、複数の空間ストリームの場合の、データサブキャリアとパイロットサブキャリアとの間のストリーム間の位相差によって引き起こされるPAPR値が表12に列挙されている。複数の空間ストリームの場合の、データサブキャリアとパイロットサブキャリアとの間のストリーム間の位相差によって引き起こされるPAPRフラッピングはわずか0.26 dBであり、最大PAPR値は4.97 dBである。
【０１５２】
【表１３】
2019501576.tif 000036
【０１５３】
依然として最適以下のシーケンスはHE-LTF250(-500:4:500) = {-1, -1, -1, +1, +1, +1, +1, +1, -1×LTFleft, -1×LTFright, +1, -1, +1, -1, -1, -1, -1, -1, LTFleft, -1×LTFright, +1, -1, +1, -1, -1, +0, -1, +1, +1, -1, -1, LTFleft, LTFright, -1, +1, -1, -1, +1, -1, -1, +1, LTFleft, -1×LTFright, +1, -1, +1, -1, -1, -1, +1, +1}であり、または、HE-LTF250(-500:4:500) = {-1, -1, -1, +1, +1, +1, +1, +1, -1, -1, +1, +1, -1, -1, +1, -1, +1, -1, -1, -1, -1, -1, -1, +1, +1, -1, -1, +1, -1, +1, -1, -1, -1, -1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, -1, -1, -1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, +0, -1, +1, +1, -1, -1, +1, +1, -1, -1, +1, +1, -1, +1, -1, +1, +1, +1, +1, +1, +1, -1, -1, +1, +1, -1, +1, -1, +1, +1, +1, +1, +1, -1, -1, +1, +1, -1, +1, -1, +1, -1, -1, -1, -1, -1, +1, +1, -1, -1, +1, -1, +1, -1, +1, +1, +1, +1, -1, +1, -1, -1, +1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, -1, +1, +1}と表されてよい。加えて、シーケンスはまた、シーケンスにおける各値の極性が反転された後（すなわち、+1は-1に変更され、-1は+1に変更され、0は変化しないままである）に得られるシーケンスを含み、残りのサブキャリアは0、すなわち空のサブキャリアである。
【０１５４】
単一の空間ストリームの場合、シーケンスに従って生成される1x HE-LTFシンボルのPAPR値はわずか4.53 dBである。
【０１５５】
表13を参照すると、複数の空間ストリームの場合の、データサブキャリアとパイロットサブキャリアとの間のストリーム間の位相差によって引き起こされるPAPR値が表13に列挙されている。複数の空間ストリームの場合の、データサブキャリアとパイロットサブキャリアとの間のストリーム間の位相差によって引き起こされるPAPRフラッピングはわずか0.52 dBであり、最大PAPR値は5.05 dBである。
【０１５６】
【表１４】
2019501576.tif 000037
【０１５７】
本発明の実施形態5
【０１５８】
160 MHz帯域幅における解決手段1。
【０１５９】
160 MHz帯域幅のサブキャリアは、2つの80 MHzサブキャリアをスプライシングすることによって取得されてよい。一次80 M周波数帯および二次80 M周波数帯は、特定の帯域幅によって連続的にスプライシングされるか、離間されてよい（例えば、100 MHzで離間される）。加えて、一次80 M周波数帯および二次80 M周波数帯の周波数帯位置は、実際の状況に応じて、柔軟に調整されてよい。従って、一次80 M周波数帯および二次80 M周波数帯の1x HE-LTFシーケンスは別々に定義されてよく、80 Mシーケンス全体を単位として使用することによって、且つ、一次80 M周波数帯および二次80 M周波数帯間の間隔および一次80 M周波数帯および二次80 M周波数帯の周波数帯順に基づいて、極性が調整されて、より低いPAPRを得る。
【０１６０】
ここで、本発明の実施形態4における最適なシーケンスはHE-LTF80M_Aに対応し、HE-LTF80M_A(-500:4:500) = {L-LTF80M_A, 0, R-LTF80M_A}であると想定される。シーケンスL-LTF80M_AおよびR-LTF80M_Aは基本シーケンスとして使用されて、それぞれ一次80 Mシーケンスおよび二次80 Mシーケンスを生成する。一次80 M 1x HE-LTFシーケンスは、LTF80M_Primary = {L-LTF80M_A, 0, R-LTF80M_A}であり、二次80 M 1x HE-LTFシーケンスは、LTF80M_Secondary = {L-LTF80M_A, 0, -1×R-LTF80M_A}である。
【０１６１】
説明を容易にするために、P1は一次80 Mシーケンスの極性調整係数を示し、P2は二次80 Mシーケンスの極性調整係数を示すと想定される。P1が+1である場合、P2は＋１または-1であってよい。この場合、2つの80 Mチャネルの位置関係が[一次80 M, 二次80 M]である場合、160 Mシーケンスは、HE-LTF500 = [P1×LTF80M_Primary, BI, P2×LTF80M_Secondary]である。2つの80 Mチャネルの位置関係が[二次80 M, 一次80 M]である場合、160 Mシーケンスは、HE-LTF500 = [P2×LTF80M_Secondary, BI, P1×LTF80M_Primary]である。BIは、2つの80 Mチャネルのエッジ上のサブキャリア間の周波数間隔である（すなわち、BIは、2つの80 Mチャネルのエッジ上のサブキャリア間のサブキャリア上で搬送されるシーケンスである）。一次80 Mチャネルおよび二次80 Mチャネルが隣接する場合、BI = {0, 0, 0, 0, 0}である。一次80 Mチャネルおよび二次80 Mチャネルが隣接しない場合、BIは対応して調整されてよい。加えて、一次80 Mチャネルおよび二次80 Mチャネルは独立して生成されてよく、次いで、スプライシングされて160 M周波数帯を生成してよい。
【０１６２】
2種類の周波数帯順および様々な周波数間隔における、一次80 MHz帯域幅および二次80 MHz帯域幅の極性調整係数が、以下の表に示される。一次-二次チャネル間隔は、2つの80 M周波数帯間の中心周波数間隔である（80 MHzの間隔は、2つの隣接80 Mチャネルをスプライシングすることによって取得される）。具体的には、様々な場合の対応するPAPR値がまた表に示される。PAPR値は、4個の位相差におけるデータおよびパイロット間の最大値である。一次80 Mシーケンスの極性および二次80 Mシーケンスの極性が調整される必要がある場合はごくわずかであり、たいていの場合では、一次80 Mシーケンスおよび二次80 Mシーケンスは直接スプライシングされることが以下の表からわかる。例えば、2つの隣接80 Mチャネルの位置関係が[一次80 M, 二次80 M]である場合、160 Mシーケンスは、具体的には、HE-LTF500(-1012:4:1012) = {L-LTF80M_A, 0, R-LTF80M_A, 0, 0, 0, 0, 0, L-LTF80M_A, 0, -1×R-LTF80M_A}である。
【０１６３】
【表１５】
2019501576.tif 000038
【０１６４】
加えて、システム実施の複雑性を低減するために、具体的なPAPR性能が犠牲のために選択されてよい。様々な場合、一次80 Mシーケンスおよび二次80 Mシーケンスが直接スプライシングされて、160 M帯域幅における1x HE-LTFシーケンスを取得する。
【０１６５】
前述の実施におけるシーケンスは、4ビット毎に表されるシーケンスであり、間隔位置上で0である。HE-LTF500 = [P1×LTF80M_Primary, BI, P2×LTF80M_Secondary]、P1は+1およびP2は+1である前述の例が使用される。当業者は、別の方式、すなわち、シーケンス全体における別の位置で値0を補う方式で表現されるシーケンスを直接且つ間違いなく取得することができる。当業者は、シーケンスが前述のシーケンスと実質的に同一であり、異なる表現方式のみが使用され、且つ、技術的解決手段の本質が影響を受けないことを理解することができる。
【０１６６】
HE-LTF-1012:1:1012 = {LTF'80M_Primary, 0, 0, 0, 0, 0, 0, 0, 0, 0, 0, 0, 0, 0, 0, 0, 0, 0, 0, 0, 0, 0, 0, 0, LTF'80M_Secondary}であり、ここで、
LTF'80M_Primary = {L-LTF'80M_A, 0, R-LTF'80M_A}、且つ、
LTF'80M_Secondary = {L-LTF'80M_A, 0, -1×R-LTF'80M_A}である。
【０１６７】
L-LTF'80M_A = {-1, 0, 0, 0, -1, 0, 0, 0, +1, 0, 0, 0, +1, 0, 0, 0, +1, 0, 0, 0, +1, 0, 0, 0, +1, 0, 0, 0, -1, 0, 0, 0, -1, 0, 0, 0, -1, 0, 0, 0, +1, 0, 0, 0, +1, 0, 0, 0, -1, 0, 0, 0, -1, 0, 0, 0, +1, 0, 0, 0, -1, 0, 0, 0, +1, 0, 0, 0, -1, 0, 0, 0, -1, 0, 0, 0, -1, 0, 0, 0, -1, 0, 0, 0, -1, 0, 0, 0, -1, 0, 0, 0, +1, 0, 0, 0, +1, 0, 0, 0, -1, 0, 0, 0, -1, 0, 0, 0, +1, 0, 0, 0, -1, 0, 0, 0, +1, 0, 0, 0, -1, 0, 0, 0, -1, 0, 0, 0, -1, 0, 0, 0, -1, 0, 0, 0, -1, 0, 0, 0, +1, 0, 0, 0, +1, 0, 0, 0, -1, 0, 0, 0, -1, 0, 0, 0, +1, 0, 0, 0, -1, 0, 0, 0, +1, 0, 0, 0, -1, 0, 0, 0, +1, 0, 0, 0, +1, 0, 0, 0, +1, 0, 0, 0, +1, 0, 0, 0, +1, 0, 0, 0, -1, 0, 0, 0, -1, 0, 0, 0, +1, 0, 0, 0, +1, 0, 0, 0, -1, 0, 0, 0, +1, 0, 0, 0, -1, 0, 0, 0, +1, 0, 0, 0, -1, 0, 0, 0, -1, 0, 0, 0, -1, 0, 0, 0, -1, 0, 0, 0, +1, 0, 0, 0, -1, 0, 0, 0, -1, 0, 0, 0, -1, 0, 0, 0, -1, 0, 0, 0, -1, 0, 0, 0, -1, 0, 0, 0, +1, 0, 0, 0, +1, 0, 0, 0, +1, 0, 0, 0, -1, 0, 0, 0, -1, 0, 0, 0, +1, 0, 0, 0, +1, 0, 0, 0, -1, 0, 0, 0, +1, 0, 0, 0, -1, 0, 0, 0, +1, 0, 0, 0, +1, 0, 0, 0, +1, 0, 0, 0, +1, 0, 0, 0, +1, 0, 0, 0, +1, 0, 0, 0, -1, 0, 0, 0, -1, 0, 0, 0, +1, 0, 0, 0, +1, 0, 0, 0, -1, 0, 0, 0, +1, 0, 0, 0, -1, 0, 0, 0, +1, 0, 0, 0, +1, 0, 0, 0, +1, 0, 0, 0, +1, 0, 0, 0, -1, 0, 0, 0, +1, 0, 0, 0, +1, 0, 0, 0, -1, 0, 0, 0, -1, 0, 0, 0, +1, 0, 0, 0, -1, 0, 0, 0, +1, 0, 0, 0, -1, 0, 0, 0, +1, 0, 0, 0, +1, 0, 0, 0, +1, 0, 0, 0, +1, 0, 0, 0, +1, 0, 0, 0, -1, 0, 0, 0, -1, 0, 0, 0, +1, 0, 0, 0, +1, 0, 0, 0, -1, 0, 0, 0, +1, 0, 0, 0, -1, 0, 0, 0, +1, 0, 0, 0, -1, 0, 0, 0, -1, 0, 0, 0, -1, 0, 0, 0, -1, 0, 0, 0, +1, 0, 0, 0, -1, 0, 0, 0, +1, 0, 0, 0, -1, 0, 0, 0, -1, 0, 0, 0}, 且つ
R-LTF'80M_A = {0, 0, 0, -1, 0, 0, 0, +1, 0, 0, 0, +1, 0, 0, 0, -1, 0, 0, 0, -1, 0, 0, 0, +1, 0, 0, 0, +1, 0, 0, 0, -1, 0, 0, 0, -1, 0, 0, 0, +1, 0, 0, 0, +1, 0, 0, 0, -1, 0, 0, 0, +1, 0, 0, 0, -1, 0, 0, 0, +1, 0, 0, 0, +1, 0, 0, 0, +1, 0, 0, 0, +1, 0, 0, 0, +1, 0, 0, 0, +1, 0, 0, 0, -1, 0, 0, 0, -1, 0, 0, 0, +1, 0, 0, 0, +1, 0, 0, 0, -1, 0, 0, 0, +1, 0, 0, 0, -1, 0, 0, 0, +1, 0, 0, 0, +1, 0, 0, 0, +1, 0, 0, 0, +1, 0, 0, 0, +1, 0, 0, 0, -1, 0, 0, 0, -1, 0, 0, 0, +1, 0, 0, 0, +1, 0, 0, 0, -1, 0, 0, 0, +1, 0, 0, 0, -1, 0, 0, 0, +1, 0, 0, 0, -1, 0, 0, 0, -1, 0, 0, 0, -1, 0, 0, 0, -1, 0, 0, 0, -1, 0, 0, 0, +1, 0, 0, 0, +1, 0, 0, 0, -1, 0, 0, 0, -1, 0, 0, 0, +1, 0, 0, 0, -1, 0, 0, 0, +1, 0, 0, 0, -1, 0, 0, 0, +1, 0, 0, 0, +1, 0, 0, 0, +1, 0, 0, 0, +1, 0, 0, 0, -1, 0, 0, 0, +1, 0, 0, 0, -1, 0, 0, 0, -1, 0, 0, 0, +1, 0, 0, 0, -1, 0, 0, 0, -1, 0, 0, 0, +1, 0, 0, 0, +1, 0, 0, 0, +1, 0, 0, 0, -1, 0, 0, 0, -1, 0, 0, 0, +1, 0, 0, 0, +1, 0, 0, 0, -1, 0, 0, 0, +1, 0, 0, 0, -1, 0, 0, 0, +1, 0, 0, 0, +1, 0, 0, 0, +1, 0, 0, 0, +1, 0, 0, 0, +1, 0, 0, 0, +1, 0, 0, 0, -1, 0, 0, 0, -1, 0, 0, 0, +1, 0, 0, 0, +1, 0, 0, 0, -1, 0, 0, 0, +1, 0, 0, 0, -1, 0, 0, 0, +1, 0, 0, 0, +1, 0, 0, 0, +1, 0, 0, 0, +1, 0, 0, 0, -1, 0, 0, 0, +1, 0, 0, 0, +1, 0, 0, 0, -1, 0, 0, 0, -1, 0, 0, 0, +1, 0, 0, 0, -1, 0, 0, 0, +1, 0, 0, 0, -1, 0, 0, 0, +1, 0, 0, 0, +1, 0, 0, 0, +1, 0, 0, 0, +1, 0, 0, 0, +1, 0, 0, 0, -1, 0, 0, 0, -1, 0, 0, 0, +1, 0, 0, 0, +1, 0, 0, 0, -1, 0, 0, 0, +1, 0, 0, 0, -1, 0, 0, 0, +1, 0, 0, 0, -1, 0, 0, 0, -1, 0, 0, 0, -1, 0, 0, 0, -1, 0, 0, 0, +1, 0, 0, 0, -1, 0, 0, 0, +1, 0, 0, 0, -1, 0, 0, 0, -1, 0, 0, 0, -1, 0, 0, 0, +1, 0, 0, 0, +1}であることが、実施形態4におけるシーケンスから、直接且つ間違いなくわかる。
【０１６８】
160 MHz帯域幅における解決手段2：
【０１６９】
160 MHz帯域幅のサブキャリアは、80 MHzサブキャリアを反復し、次いで、80 MHzサブキャリアを直接スプライシングすることによって取得される。従って、160 M帯域幅における1x HE-LTFシーケンスは、実施形態4における80 M帯域幅の最適以下の1x HE-LTFシーケンスに基づいて生成される。説明を容易にするために、最適以下のシーケンスはHE-LTF80Mと呼ばれ、HE-LTF80M(-500:4:500) = {L-LTF80M, 0, R-LTF80M}である。160 MHz帯域幅における解決手段1のシーケンスは、HE-LTF500(-1012:4:1012) = {L-LTF80M, 0, R-LTF80M, 0, 0, 0, 0, 0, -1×L-LTF80M, 0, R-LTF80M}であり、残りのサブキャリアは0、すなわち空のサブキャリアである。ここで、-1012:4:1012は-1012, -1008, …, -8, -4, 0, 4, 8, …, 1008, および1012を表す。この場合、対応するパイロットサブキャリア位置は、±44, ±112, ±420, ±488, ±536, ±604, ±912, および±980であり、すなわち、16個のパイロットサブキャリアがある。
【０１７０】
単一の空間ストリームの場合、シーケンスに従って生成される1x HE-LTFシンボルのPAPR値はわずか5.7413 dBである。
【０１７１】
複数の空間ストリームの場合の、データサブキャリアとパイロットサブキャリアとの間のストリーム間の位相差によって引き起こされるPAPR値が表14に列挙されている。複数の空間ストリームの場合の、データサブキャリアとパイロットサブキャリアとの間のストリーム間の位相差によって引き起こされるPAPRフラッピングは0.3948 dBであり、最大PAPR値はわずか5.9667 dBである。
【０１７２】
【表１６】
2019501576.tif 000039
【０１７３】
160 MHz帯域幅における別の解決手段：
【０１７４】
160 MHz帯域幅のサブキャリアは、2つの80 MHzサブキャリアをスプライシングすることによって取得されてよい。一次80 M周波数帯および二次80 M周波数帯は、特定の帯域幅によって連続的にスプライシングされるか、離間されてよい（例えば、100 MHzで離間される）。加えて、一次80 M周波数帯および二次80 M周波数帯の周波数帯位置は、実際の状況に応じて、柔軟に調整されてよい。従って、一次80 M周波数帯および二次80 M周波数帯の1x HE-LTFシーケンスは別々に定義されてよく、80 Mシーケンス全体を単位として使用することによって、且つ、一次80 M周波数帯および二次80 M周波数帯間の間隔および一次80 M周波数帯および二次80 M周波数帯の周波数帯順に基づいて、極性が調整されて、より低いPAPRを得る。
【０１７５】
ここで、本発明の実施形態4における最適以下のシーケンスおよびさらに最適以下のシーケンスはそれぞれ、一次80 Mシーケンスおよび二次80 Mシーケンスとして使用され、160 MHz帯域幅における新しい1x HE-LTFシーケンスを取得するためにスプライシングされる。
【０１７６】
説明を容易にするために、本発明の実施形態4における最適以下のシーケンスはLTF80M_Primaryと呼ばれ、本発明の実施形態4におけるさらに最適以下のシーケンスは、LTF80M_Secondaryと呼ばれる。P1は一次80 Mシーケンスの極性調整係数を示し、P2は二次80 Mシーケンスの極性調整係数を示すと想定される。P1が+1である場合、P2は＋１または-1であってよい。この場合、2つの80 Mチャネルの配置関係が[一次80 M, 二次80 M]である場合、160 Mシーケンスは、HE-LTF500 = [P1×LTF80M_Primary, BI, P2×LTF80M_Secondary]である。2つの80 Mチャネルの配置関係が[二次80 M, 一次80 M]である場合、160 Mシーケンスは、HE-LTF500 = [P2×LTF80M_Secondary, BI, P1×LTF80M_Primary]である。BIは、2つの80 Mチャネルのエッジ上のサブキャリア間の周波数間隔である。一次80 Mチャネルおよび二次80 Mチャネルが隣接する場合、BI = {0, 0, 0, 0, 0}である。一次80 Mチャネルおよび二次80 Mチャネルが隣接しない場合、BIは対応して調整されてよい。加えて、一次80 Mチャネルおよび二次80 Mチャネルは独立して生成されてよく、次いで、スプライシングされて160 M周波数帯を生成してよい。
【０１７７】
2種類の周波数帯順および様々な周波数間隔における、一次80 MHz帯域幅および二次80 MHz帯域幅の極性調整係数が、以下の表15に示される。一次-二次チャネル間隔は、2つの80 M周波数帯間の中心周波数間隔である（80 MHzの間隔は、2つの隣接80 Mチャネルをスプライシングすることによって取得される）。
【０１７８】
具体的には、様々な場合の対応するPAPR値がまた表15に示される。PAPR値は、4個の位相差におけるデータおよびパイロット間の最大値である。一次80 Mシーケンスの極性および二次80 Mシーケンスの極性が調整される必要がある場合はごくわずかであり、たいていの場合では、一次80 Mシーケンスおよび二次80 Mシーケンスは直接スプライシングされることが以下の表からわかる。
【０１７９】
【表１７】
2019501576.tif 000040
【０１８０】
加えて、システム実施の複雑性を低減するために、具体的なPAPR性能が犠牲のために選択されてよい。様々な場合、一次80 Mシーケンスおよび二次80 Mシーケンスが直接スプライシングされて、160 M帯域幅における1x HE-LTFシーケンスを取得する。
【０１８１】
実施形態では、全ての1x HE-LTFシーケンスは、異なる帯域幅における良好なPAPRによって特徴付けられ、PAPRは、複数の空間ストリームの場合に極度に小さい変動によって特徴付けられており、その結果、電力増幅器は有効に使用されることができ、より長距離の送信に適合するために、電力は長距離送信モードにおいてより良く強化されることができる。
【０１８２】
本発明は、802.11a、802.11b、802.11g、802.11nまたは802.11acによって表されるWi-Fiシステムを含むがそれらに限定されない、無線ローカルエリアネットワークに適用されてよく、または、次世代Wi-Fiシステムまたは次世代無線ローカルエリアネットワークシステムに適用されてよい。
【０１８３】
本発明は、前述の方法を実行することができるデータ送信装置をさらに提供する。図11は、実施形態におけるデータ送信装置の概略構成図の例（例えば、アクセスポイント、局およびチップ等の図内の一部の構成要素は任意である）である。図11に示されるように、データ送信装置1200は、一般的なバスアーキテクチャとしてバス1201を使用することによって実施されてよい。バス1201は、データ送信装置1200の、具体的な適用および全体的な設計制約条件に従って、任意の数の相互接続されたバスおよびブリッジを含んでよい。バス1201を使用することによって、様々な回路が互いに接続される。これらの回路は、プロセッサ1202、記憶媒体1203およびバスインタフェース1204を含む。データ送信装置1200では、ネットワークアダプタ1205等が、バスインタフェース1204を使用することによって、バス1201を介して接続される。ネットワークアダプタ1205は、無線ローカルエリアネットワークにおける物理層の信号処理機能を実施し、アンテナ1207を使用することによって、無線周波数信号を送受信するように構成されてよい。ユーザインタフェース1206は、キーボード、ディスプレイ、マウスまたはジョイスティック等のユーザ端末に接続されてよい。バス1201は、タイミングソース、周辺デバイス、電圧レギュレータおよび電力管理回路等の様々な他の回路にさらに接続されてよい。これらの回路は、当該技術分野において知られている。従って、詳細は説明されない。
【０１８４】
あるいは、データ送信装置1200は、汎用処理システムとして構成されてよい。汎用処理システムは、プロセッサ機能を提供する1つまたは複数のマイクロプロセッサと、記憶媒体1203の少なくとも一部を提供する外部メモリとを含む。全ての構成要素は、外部バスアーキテクチャを使用することによって、別のサポート回路に接続される。
【０１８５】
あるいは、データ送信装置1200は、プロセッサ1202、バスインタフェース1204およびユーザインタフェース1206を含むASIC（特定用途向け集積回路）と、記憶媒体1203の、単一チップに統合される少なくとも一部とを使用することによって実施されてよい。あるいは、データ送信装置1200は、本発明に記載の様々な機能を実行することができる、1つまたは複数のFPGA（フィールドプログラマブルゲートアレイ）、PLD（プログラマブルロジックデバイス）、コントローラ、ステートマシン、ゲートロジック、ディスクリートハードウェアコンポーネント、任意の他の適切な回路または回路の任意の組合せを使用することによって実施されてよい。
【０１８６】
プロセッサ1202は、バス管理および一般的な処理（記憶媒体1203に記憶されたソフトウェアの実行を含む）を担当する。プロセッサ1202は、1つまたは複数の汎用プロセッサおよび/または専用プロセッサを使用することによって実施されてよい。プロセッサは、例えば、マイクロプロセッサ、マイクロコントローラ、DSPプロセッサまたはソフトウェアを実行することができる別の回路を含む。ソフトウェアがソフトウェア、ファームウェア、ミドルウェア、マイクロコード、ハードウェア記述言語等と呼ばれるかどうかにかかわらず、ソフトウェアは、命令、データまたはそれらの任意の組合せとして広く解釈されるべきである。
【０１８７】
図11には、記憶媒体1203はプロセッサ1202から分離されていることが示されている。しかしながら、当業者は、記憶媒体1203または記憶媒体1203の任意の部分が、データ送信装置1200の外部に配置され得ることを容易に理解する。例えば、記憶媒体1203は、伝送線、データ変調によって得られる搬送波波形および/または無線ノードから分離されたコンピュータ製品を含んでよい。全ての媒体は、バスインタフェース1204を使用することによって、プロセッサ1202によってアクセスされてよい。あるいは、記憶媒体1203または記憶媒体1203の任意の部分は、プロセッサ1202に統合されてよく、例えば、キャッシュおよび/または汎用レジスタであってよい。
【０１８８】
プロセッサ1202は、前述の実施形態を実行することができ、詳細はここでは説明されない。
【０１８９】
当業者は、方法の実施形態のステップの全てまたは一部が、関連ハードウェアに命令するプログラムによって実施されてよいことを理解することができる。プログラムは、コンピュータ可読記憶媒体に記憶されてよい。プログラムが動作すると、方法の実施形態のステップが実行される。前述の記憶媒体は、ROM、RAM、磁気ディスクまたは光ディスク等の、プログラムコードを記憶することができる任意の媒体を含む。
【符号の説明】
【０１９０】
1200  データ送信装置
1201  バス
1202  プロセッサ
1203  記憶媒体
1204  バスインタフェース
1205  ネットワークアダプタ
1206  ユーザインタフェース
1207  アンテナ
【図１】
2019501576.tif 000041
【図２】
2019501576.tif 000042
【図３Ａ】
2019501576.tif 000043
【図３Ｂ】
2019501576.tif 000044
【図４Ａ】
2019501576.tif 000045
【図４Ｂ】
2019501576.tif 000046
【図５】
2019501576.tif 000047
【図６】
2019501576.tif 000048
【図７】
2019501576.tif 000049
【図８】
2019501576.tif 000050
【図９Ａ】
2019501576.tif 000051
【図９Ｂ】
2019501576.tif 000052
【図９Ｃ】
2019501576.tif 000053
【図１０】
2019501576.tif 000054
【図１１】
2019501576.tif 000055
【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
送信端において、通信システムにおけるチャネル推定情報送信方法であって、
送信帯域幅およびHE-LTFフィールドのモードに従って、周波数領域における高効率ロングトレーニングHE-LTFシーケンスを決定するステップと、
前記HE-LTFフィールドのOFDMシンボルの数、NHELTFおよび周波数領域における前記決定されたHE-LTFシーケンスに従って、時間-領域信号を送信するステップとを含み、
80 MHz帯域幅にわたる1x HE-LTFモードにおける周波数領域におけるHE-LTFシーケンスは、
HE-LTF250(-500:4:500) = {-1, -1, +1, +1, +1, +1, +1, -1, -1, -1, +1, +1, -1, -1, +1, -1, +1, -1, -1, -1, -1, -1, -1, +1, +1, -1, -1, +1, -1, +1, -1, -1, -1, -1, -1, +1, +1, -1, -1, +1, -1, +1, -1, +1, +1, +1, +1, +1, -1, -1, +1, +1, -1, +1, -1, +1, -1, -1, -1, -1, +1, -1, -1, -1, -1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, 0, -1, +1, +1, -1, -1, +1, +1, -1, -1, +1, +1, -1, +1, -1, +1, +1, +1, +1, +1, +1, -1, -1, +1, +1, -1, +1, -1, +1, +1, +1, +1, +1, -1, -1, +1, +1, -1, +1, -1, +1, -1, -1, -1, -1, -1, +1, +1, -1, -1, +1, -1, +1, -1, +1, +1, +1, +1, -1, +1, -1, -1, +1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, -1, +1, +1}
に対応し、-500:4:500は、インデックス-500, -496, …, -8, -4, 0, 4, 8, …, 496, および 500を持つサブキャリア上の値が連続して上述の値であることを示し、残りのサブキャリア上の値は0である、チャネル推定情報送信方法。
【請求項２】
受信端において、通信システムにおけるチャネル推定情報処理方法であって、
HE-LTFフィールドを含むプリアンブルを受信するステップと、
前記受信されたHE-LTFフィールドおよび周波数領域におけるHE-LTFシーケンスに基づいて、対応するサブキャリア位置のチャネル推定値を取得するステップとを含み、
80 MHz帯域幅にわたる1x HE-LTFモードの周波数領域におけるHE-LTFシーケンスは、
HE-LTF250(-500:4:500) = {-1, -1, +1, +1, +1, +1, +1, -1, -1, -1, +1, +1, -1, -1, +1, -1, +1, -1, -1, -1, -1, -1, -1, +1, +1, -1, -1, +1, -1, +1, -1, -1, -1, -1, -1, +1, +1, -1, -1, +1, -1, +1, -1, +1, +1, +1, +1, +1, -1, -1, +1, +1, -1, +1, -1, +1, -1, -1, -1, -1, +1, -1, -1, -1, -1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, 0, -1, +1, +1, -1, -1, +1, +1, -1, -1, +1, +1, -1, +1, -1, +1, +1, +1, +1, +1, +1, -1, -1, +1, +1, -1, +1, -1, +1, +1, +1, +1, +1, -1, -1, +1, +1, -1, +1, -1, +1, -1, -1, -1, -1, -1, +1, +1, -1, -1, +1, -1, +1, -1, +1, +1, +1, +1, -1, +1, -1, -1, +1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, -1, +1, +1}
に対応し、-500:4:500は、インデックス-500, -496, …, -8, -4, 0, 4, 8, …, 496, および 500を持つサブキャリア上の値が連続して上述の値であることを示し、残りのサブキャリア上の値は0である、チャネル推定情報処理方法。
【請求項３】
送信端において、通信システムにおけるチャネル推定情報送信方法であって、
送信帯域幅および高効率ロングトレーニングHE-LTFフィールドのモードに従って、周波数領域におけるHE-LTFシーケンスを決定するステップと、
前記HE-LTFフィールドのOFDMシンボルの数、NHELTFおよび周波数領域における前記決定されたHE-LTFシーケンスに従って、時間-領域信号を送信するステップとを含み、
160 MHz帯域幅にわたる1x HE-LTFモードにおける周波数領域におけるHE-LTFシーケンスは、
HE-LTF = [P1×LTF80MHz_Primary, BI, P2×LTF80MHz_Secondary]
に対応し、前述の式において、P1は+1であり、P2は+1または-1であり、
LTF80MHz_Primary = {L-LTF80MHz_A, 0, R-LTF80MHz_A}であり、
LTF80MHz_Secondary = {L-LTF80MHz_A, 0, -1×R-LTF80MHz_A}であり、
前記BIは、2つの80 Mチャネルのエッジ上のサブキャリア間のサブキャリア上で搬送されるシーケンスである、チャネル推定情報送信方法。
【請求項４】
受信端において、通信システムにおけるチャネル推定情報処理方法であって、
HE-LTFフィールドを含むプリアンブルを受信するステップと、
前記受信されたHE-LTFフィールドおよび周波数領域におけるHE-LTFシーケンスに従って、対応するサブキャリア位置のチャネル推定値を取得するステップとを含み、
160 MHz帯域幅にわたる1x HE-LTFモードにおける周波数領域におけるHE-LTFシーケンスは、
HE-LTF = [P1×LTF80MHz_Primary, BI, P2×LTF80MHz_Secondary]
に対応し、前述の式において、P1は+1であり、P2は+1または-1であり、
LTF80MHz_Primary = {L-LTF80MHz_A, 0, R-LTF80MHz_A}であり、
LTF80MHz_Secondary = {L-LTF80MHz_A, 0, -1×R-LTF80MHz_A}であり、
前記BIは、2つの80 MHzチャネルのエッジ上のサブキャリア間の周波数間隔である、チャネル推定情報処理方法。
【請求項５】
{L-LTF80MHz_A, 0, R-LTF80MHz_A} = HE-LTF250(-500:4:500)であり、
HE-LTF250(-500:4:500) = {-1, -1, +1, +1, +1, +1, +1, -1, -1, -1, +1, +1, -1, -1, +1, -1, +1, -1, -1, -1, -1, -1, -1, +1, +1, -1, -1, +1, -1, +1, -1, -1, -1, -1, -1, +1, +1, -1, -1, +1, -1, +1, -1, +1, +1, +1, +1, +1, -1, -1, +1, +1, -1, +1, -1, +1, -1, -1, -1, -1, +1, -1, -1, -1, -1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, 0, -1, +1, +1, -1, -1, +1, +1, -1, -1, +1, +1, -1, +1, -1, +1, +1, +1, +1, +1, +1, -1, -1, +1, +1, -1, +1, -1, +1, +1, +1, +1, +1, -1, -1, +1, +1, -1, +1, -1, +1, -1, -1, -1, -1, -1, +1, +1, -1, -1, +1, -1, +1, -1, +1, +1, +1, +1, -1, +1, -1, -1, +1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, -1, +1, +1}
であり、-500:4:500は、インデックス-500, -496, …, -8, -4, 0, 4, 8, …, 496, および 500を持つサブキャリア上の値が連続して上述の値であることを示し、残りのサブキャリア上の値は0である、請求項3または4に記載の方法。
【請求項６】
前記160 MHz帯域幅における一次80 MHz（LTF80MHz_Primary）チャネルおよび二次80 MHz（LTF80MHz_Secondary）チャネルが隣接している場合、前記BI = {0, 0, 0, 0, 0}である、請求項5に記載の方法。
【請求項７】
アップリンクマルチユーザ多入力多出力、UL-MU-MIMO送信では、前記送信端において、前記方法は、
周波数領域における前記HE-LTFシーケンスを決定する前に、アップリンクスケジューリング情報を示すためにトリガフレームを受信するステップであって、前記アップリンクスケジューリング情報は、前記送信帯域幅およびHE-LTFシンボルの前記数を含む、ステップをさらに含む、請求項1または3に記載の方法。
【請求項８】
単一ユーザ送信では、または、ダウンリンクマルチユーザ多入力多出力、DL-MU-MIMO送信では、前記送信端において、前記方法は、
空間-時間ストリームの合計数、NSTSに基づいて、前記NHELTFを決定するステップをさらに含み、前記NHELTFおよび前記NSTSは、
【表１】
2019501576.tif 000056
に対応する、請求項1または3に記載の方法。
【請求項９】
アップリンクマルチユーザ多入力多出力、UL-MU-MIMO送信では、前記受信端において、前記方法は、
前記HE-LTFフィールドを含む前記プリアンブルを受信する前に、
アップリンクスケジューリング情報を示すためにトリガフレームを送信するステップであって、前記アップリンクスケジューリング情報は、送信帯域幅およびHE-LTFシンボルの数を含む、ステップをさらに含む、請求項2または4に記載の方法。
【請求項１０】
単一ユーザ送信では、または、ダウンリンクマルチユーザ多入力多出力、DL-MU-MIMO送信では、前記受信端において、前記方法は、
前記プリアンブルにおける信号フィールドで搬送される情報に従って、送信帯域幅BW、空間-時間ストリームの合計数、NSTSおよび高効率ロングトレーニングHE-LTFフィールドのモードを取得するステップと、
空間-時間ストリームの前記合計数、NSTSに基づいて、前記HE-LTFフィールドのOFDMシンボルの数、NHELTFを決定するステップと、
前記送信帯域幅および前記HE-LTFフィールドの前記モードに従って、周波数領域における前記HE-LTFシーケンスを決定するステップとをさらに含む、請求項2または4に記載の方法。
【請求項１１】
送信端における、通信システムにおけるチャネル推定情報送信装置であって、
送信帯域幅およびHE-LTFフィールドのモードに従って、周波数領域における高効率ロングトレーニングHE-LTFシーケンスを決定するためのモジュールと、
前記HE-LTFフィールドのOFDMシンボルの数、NHELTFおよび周波数領域における前記決定されたHE-LTFシーケンスに従って、時間-領域信号を送信するためのモジュールとを含み、
80 MHz帯域幅にわたる1x HE-LTFモードにおける周波数領域におけるHE-LTFシーケンスは、
HE-LTF250(-500:4:500) = {-1, -1, +1, +1, +1, +1, +1, -1, -1, -1, +1, +1, -1, -1, +1, -1, +1, -1, -1, -1, -1, -1, -1, +1, +1, -1, -1, +1, -1, +1, -1, -1, -1, -1, -1, +1, +1, -1, -1, +1, -1, +1, -1, +1, +1, +1, +1, +1, -1, -1, +1, +1, -1, +1, -1, +1, -1, -1, -1, -1, +1, -1, -1, -1, -1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, 0, -1, +1, +1, -1, -1, +1, +1, -1, -1, +1, +1, -1, +1, -1, +1, +1, +1, +1, +1, +1, -1, -1, +1, +1, -1, +1, -1, +1, +1, +1, +1, +1, -1, -1, +1, +1, -1, +1, -1, +1, -1, -1, -1, -1, -1, +1, +1, -1, -1, +1, -1, +1, -1, +1, +1, +1, +1, -1, +1, -1, -1, +1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, -1, +1, +1}
に対応し、-500:4:500は、インデックス-500, -496, …, -8, -4, 0, 4, 8, …, 496, および 500を持つサブキャリア上の値が連続して上述の値であることを示し、残りのサブキャリア上の値は0である、チャネル推定情報送信装置。
【請求項１２】
受信端における、通信システムにおけるチャネル推定情報処理装置であって、
HE-LTFフィールドを含むプリアンブルを受信するためのモジュールと、
前記受信されたHE-LTFフィールドおよび周波数領域におけるHE-LTFシーケンスに基づいて、対応するサブキャリア位置のチャネル推定値を取得するためのモジュールとを含み、
80 MHz帯域幅にわたる1x HE-LTFモードの周波数領域におけるHE-LTFシーケンスは、
HE-LTF250(-500:4:500) = {-1, -1, +1, +1, +1, +1, +1, -1, -1, -1, +1, +1, -1, -1, +1, -1, +1, -1, -1, -1, -1, -1, -1, +1, +1, -1, -1, +1, -1, +1, -1, -1, -1, -1, -1, +1, +1, -1, -1, +1, -1, +1, -1, +1, +1, +1, +1, +1, -1, -1, +1, +1, -1, +1, -1, +1, -1, -1, -1, -1, +1, -1, -1, -1, -1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, 0, -1, +1, +1, -1, -1, +1, +1, -1, -1, +1, +1, -1, +1, -1, +1, +1, +1, +1, +1, +1, -1, -1, +1, +1, -1, +1, -1, +1, +1, +1, +1, +1, -1, -1, +1, +1, -1, +1, -1, +1, -1, -1, -1, -1, -1, +1, +1, -1, -1, +1, -1, +1, -1, +1, +1, +1, +1, -1, +1, -1, -1, +1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, -1, +1, +1}
に対応し、-500:4:500は、インデックス-500, -496, …, -8, -4, 0, 4, 8, …, 496, および 500を持つサブキャリア上の値が連続して上述の値であることを示し、残りのサブキャリア上の値は0である、チャネル推定情報処理装置。
【請求項１３】
送信端における、通信システムにおけるチャネル推定情報送信装置であって、
送信帯域幅およびHE-LTFフィールドのモードに従って、周波数領域におけるHE-LTFシーケンスを決定するためのモジュールと、
前記HE-LTFフィールドのOFDMシンボルの数、NHELTFおよび周波数領域における前記決定されたHE-LTFシーケンスに従って、時間-領域信号を送信するためのモジュールとを含み、
160 MHz帯域幅にわたる1x HE-LTFモードにおける周波数領域におけるHE-LTFシーケンスは、
HE-LTF = [P1×LTF80MHz_Primary, BI, P2×LTF80MHz_Secondary]
に対応し、前述の式において、P1は+1であり、P2は+1または-1であり、
LTF80MHz_Primary = {L-LTF80MHz_A, 0, R-LTF80MHz_A}であり、
LTF80MHz_Secondary = {L-LTF80MHz_A, 0, -1×R-LTF80MHz_A}であり、
前記BIは、2つの80 Mチャネルのエッジ上のサブキャリア間のサブキャリア上で搬送されるシーケンスである、チャネル推定情報送信装置。
【請求項１４】
受信端における、通信システムにおけるチャネル推定情報送信装置であって、
HE-LTFフィールドを含むプリアンブルを受信するためのモジュールと、
前記受信されたHE-LTFフィールドおよび周波数領域におけるHE-LTFシーケンスに基づいて、対応するサブキャリア位置のチャネル推定値を取得するためのモジュールとを含み、
160 MHz帯域幅にわたる1x HE-LTFモードにおける周波数領域におけるHE-LTFシーケンスは、
HE-LTF = [P1×LTF80MHz_Primary, BI, P2×LTF80MHz_Secondary]
に対応し、前述の式において、P1は+1であり、P2は+1または-1であり、
LTF80MHz_Primary = {L-LTF80MHz_A, 0, R-LTF80MHz_A}であり、
LTF80MHz_Secondary = {L-LTF80MHz_A, 0, -1×R-LTF80MHz_A}であり、
前記BIは、2つの80 MHzチャネルのエッジ上のサブキャリア間の周波数間隔である、チャネル推定情報送信装置。
【請求項１５】
{L-LTF80MHz_A, 0, R-LTF80MHz_A} = HE-LTF250(-500:4:500)であり、
HE-LTF250(-500:4:500) = {-1, -1, +1, +1, +1, +1, +1, -1, -1, -1, +1, +1, -1, -1, +1, -1, +1, -1, -1, -1, -1, -1, -1, +1, +1, -1, -1, +1, -1, +1, -1, -1, -1, -1, -1, +1, +1, -1, -1, +1, -1, +1, -1, +1, +1, +1, +1, +1, -1, -1, +1, +1, -1, +1, -1, +1, -1, -1, -1, -1, +1, -1, -1, -1, -1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, 0, -1, +1, +1, -1, -1, +1, +1, -1, -1, +1, +1, -1, +1, -1, +1, +1, +1, +1, +1, +1, -1, -1, +1, +1, -1, +1, -1, +1, +1, +1, +1, +1, -1, -1, +1, +1, -1, +1, -1, +1, -1, -1, -1, -1, -1, +1, +1, -1, -1, +1, -1, +1, -1, +1, +1, +1, +1, -1, +1, -1, -1, +1, -1, -1, +1, +1, +1, -1, -1, +1, +1, -1, +1, -1, +1, +1, +1, +1, +1, +1, -1, -1, +1, +1, -1, +1, -1, +1, +1, +1, +1, -1, +1, +1, -1, -1, +1, -1, +1, -1, +1, +1, +1, +1, +1, -1, -1, +1, +1, -1, +1, -1, +1, -1, -1, -1, -1, +1, -1, +1, -1, -1, -1, +1, +1}
であり、-500:4:500は、インデックス-500, -496, …, -8, -4, 0, 4, 8, …, 496, および 500を持つサブキャリア上の値が連続して上述の値であることを示し、残りのサブキャリア上の値は0である、請求項13または14に記載の装置。
【請求項１６】
前記160 MHz帯域幅における一次80 MHz（LTF80MHz_Primary）チャネルおよび二次80 MHz（LTF80MHz_Secondary）チャネルが隣接している場合、前記BI = {0, 0, 0, 0, 0}である、請求項15に記載の装置。
【請求項１７】
アップリンクマルチユーザ多入力多出力、UL-MU-MIMO送信では、前記送信端において、前記装置は、
周波数領域における前記HE-LTFシーケンスを決定する前に、アップリンクスケジューリング情報を示すためにトリガフレームを受信するためのモジュールであって、前記アップリンクスケジューリング情報は、前記送信帯域幅およびHE-LTFシンボルの前記数を含む、モジュールをさらに含む、請求項11または13に記載の装置。
【請求項１８】
単一ユーザ送信では、または、ダウンリンクマルチユーザ多入力多出力、DL-MU-MIMO送信では、前記送信端において、前記装置は、
空間-時間ストリームの合計数、NSTSに基づいて、前記NHELTFを決定するためのモジュールをさらに含み、前記NHELTFおよび前記NSTSは、
【表２】
2019501576.tif 000057
に対応する、請求項11または13に記載の装置。
【請求項１９】
アップリンクマルチユーザ多入力多出力、UL-MU-MIMO送信では、前記受信端において、前記装置は、
前記HE-LTFフィールドを含む前記プリアンブルを受信する前に、
アップリンクスケジューリング情報を示すためにトリガフレームを送信するためのモジュールであって、前記アップリンクスケジューリング情報は、送信帯域幅およびHE-LTFシンボルの数を含む、モジュールをさらに含む、請求項12または14に記載の装置。
【請求項２０】
単一ユーザ送信では、または、ダウンリンクマルチユーザ多入力多出力、DL-MU-MIMO送信では、前記受信端において、前記装置は、
前記プリアンブルにおける信号フィールドで搬送される情報に従って、送信帯域幅BW、空間-時間ストリームの合計数、NSTSおよび高効率ロングトレーニングHE-LTFフィールドのモードを取得するためのモジュールと、
空間-時間ストリームの前記合計数、NSTSに基づいて、前記HE-LTFフィールドのOFDMシンボルの数、NHELTFを決定するためのモジュールと、
前記送信帯域幅および前記HE-LTFフィールドの前記モードに従って、周波数領域における前記HE-LTFシーケンスを決定するためのモジュールとをさらに含む、請求項12または14に記載の装置。
【手続補正２】
【補正対象書類名】明細書
【補正対象項目名】０００７
【補正方法】変更
【補正の内容】
【０００７】
シミュレーションおよび比較によって、1xモードのHE-LTFシーケンスが使用され、その結果システムは極度に低いPAPR値を有する。
【手続補正３】
【補正対象書類名】明細書
【補正対象項目名】０００８
【補正方法】変更
【補正の内容】
【０００８】
本発明の技術的解決手段をより明確に説明するために、以下では、本発明の好ましい実施形態または従来技術を示す添付図面を簡潔に説明する。明らかに、以下の説明における添付図面は、本発明のいくつかの好ましい実施形態を示す。
【手続補正４】
【補正対象書類名】明細書
【補正対象項目名】００１０
【補正方法】変更
【補正の内容】
【００１０】
本発明の目的、技術的解決手段および利点をより明確にするために、以下では、本発明の好ましい実施形態を示す添付図面を参照して、本発明の技術的解決手段を明確に説明する。
【手続補正５】
【補正対象書類名】明細書
【補正対象項目名】００４３
【補正方法】変更
【補正の内容】
【００４３】
1x HE-LTFは主に、OFDMA通信シナリオよりもOFDM通信シナリオに適用される。異なるRUがスケジュールされるときに生成されるHE-LTFシンボルのPAPR値は考慮される必要がなく、各フル帯域幅におけるOFDM送信中のHE-LTFシンボルのPAPR値、例えば、20 MHzにおける242 RU, 40 MHzにおける484 RUまたは80 MHzにおける996 RUのみが考慮される必要がある。従って、本実施形態では、優れたPAPRによって特徴付けられるシーケンスBB_LTF_L, BB_LTF_R, LTFleftおよびLTFrightに基づいて、一連の拡張操作がシーケンス上で実行されて、異なる帯域幅における低いPAPRによって特徴付けられる新しい1x HE-LTFシーケンスを取得する。以下のシーケンス-1×BB_LTF_Lは、シーケンスBB_LTF_Lにおける各値の極性が反転されていること、すなわち、1は-1に変更され、-1は1に変更されていることを示す。-1×BB_LTF_R, -1×LTFleft, -1×LTFright等についても同じことが言える。
【手続補正６】
【補正対象書類名】明細書
【補正対象項目名】００４４
【補正方法】変更
【補正の内容】
【００４４】
本実施形態は、HE-LTFフィールドを生成するプロセスを含む、SU（single user, 単一ユーザ）データパケットまたはDL-MU-MIMO（Down Link Multi-user Multiple in Multiple out, ダウンリンクマルチユーザ多入力多出力）データパケットを送信端によって送信するための方法を提供する。
【手続補正７】
【補正対象書類名】明細書
【補正対象項目名】００９４
【補正方法】変更
【補正の内容】
【００９４】
実施形態1
【手続補正８】
【補正対象書類名】明細書
【補正対象項目名】０１０５
【補正方法】変更
【補正の内容】
【０１０５】
実施形態2
【手続補正９】
【補正対象書類名】明細書
【補正対象項目名】０１１５
【補正方法】変更
【補正の内容】
【０１１５】
実施形態2については、20 MHz帯域幅における1xモードのHE-LTFのサブキャリア位置Bのシナリオでは、1x HE-LTFシーケンスに対してIFFT操作が行われた後に得られる時間領域シーケンスは、LTFt = {LTFtq, -1×LTFtq, LTFtq, -1×LTFtq}であり、ここで、LTFtqは時間領域シーケンスの最初の1/4であることは留意されるべきである。送信端は、循環プレフィックス（CP、またはGIと呼ばれる）が追加されたLTFtqシーケンスTx_LTFtqを直接送信してよい。CPシーケンスは、切捨て前に存在する元のシーケンス（すなわち、シーケンスLTFt）に対して得られるCPシーケンスであることは留意されるべきである。送信端が256点IFFTを使用する場合、図9Aに対して参照が行われてよい。図9Aは、20 M 1x HE-LTFのサブキャリア位置B上の送信端の簡単な概略図である。最後に、時間ウィンドウ操作および送信が実行される。
【手続補正１０】
【補正対象書類名】明細書
【補正対象項目名】０１２０
【補正方法】変更
【補正の内容】
【０１２０】
実施形態3
【手続補正１１】
【補正対象書類名】明細書
【補正対象項目名】０１３９
【補正方法】変更
【補正の内容】
【０１３９】
実施形態4
【手続補正１２】
【補正対象書類名】明細書
【補正対象項目名】０１５７
【補正方法】変更
【補正の内容】
【０１５７】
実施形態5
【手続補正１３】
【補正対象書類名】明細書
【補正対象項目名】０１６０
【補正方法】変更
【補正の内容】
【０１６０】
ここで、実施形態4における最適なシーケンスはHE-LTF80M_Aに対応し、HE-LTF80M_A(-500:4:500) = {L-LTF80M_A, 0, R-LTF80M_A}であると想定される。シーケンスL-LTF80M_AおよびR-LTF80M_Aは基本シーケンスとして使用されて、それぞれ一次80 Mシーケンスおよび二次80 Mシーケンスを生成する。一次80 M 1x HE-LTFシーケンスは、LTF80M_Primary = {L-LTF80M_A, 0, R-LTF80M_A}であり、二次80 M 1x HE-LTFシーケンスは、LTF80M_Secondary = {L-LTF80M_A, 0, -1×R-LTF80M_A}である。
【手続補正１４】
【補正対象書類名】明細書
【補正対象項目名】０１７５
【補正方法】変更
【補正の内容】
【０１７５】
ここで、実施形態4における最適以下のシーケンスおよびさらに最適以下のシーケンスはそれぞれ、一次80 Mシーケンスおよび二次80 Mシーケンスとして使用され、160 MHz帯域幅における新しい1x HE-LTFシーケンスを取得するためにスプライシングされる。
【手続補正１５】
【補正対象書類名】明細書
【補正対象項目名】０１７６
【補正方法】変更
【補正の内容】
【０１７６】
説明を容易にするために、実施形態4における最適以下のシーケンスはLTF80M_Primaryと呼ばれ、実施形態4におけるさらに最適以下のシーケンスは、LTF80M_Secondaryと呼ばれる。P1は一次80 Mシーケンスの極性調整係数を示し、P2は二次80 Mシーケンスの極性調整係数を示すと想定される。P1が+1である場合、P2は＋１または-1であってよい。この場合、2つの80 Mチャネルの配置関係が[一次80 M, 二次80 M]である場合、160 Mシーケンスは、HE-LTF500 = [P1×LTF80M_Primary, BI, P2×LTF80M_Secondary]である。2つの80 Mチャネルの配置関係が[二次80 M, 一次80 M]である場合、160 Mシーケンスは、HE-LTF500 = [P2×LTF80M_Secondary, BI, P1×LTF80M_Primary]である。BIは、2つの80 Mチャネルのエッジ上のサブキャリア間の周波数間隔である。一次80 Mチャネルおよび二次80 Mチャネルが隣接する場合、BI = {0, 0, 0, 0, 0}である。一次80 Mチャネルおよび二次80 Mチャネルが隣接しない場合、BIは対応して調整されてよい。加えて、一次80 Mチャネルおよび二次80 Mチャネルは独立して生成されてよく、次いで、スプライシングされて160 M周波数帯を生成してよい。
【手続補正１６】
【補正対象書類名】明細書
【補正対象項目名】０１８２
【補正方法】変更
【補正の内容】
【０１８２】
本実施形態は、802.11a、802.11b、802.11g、802.11nまたは802.11acによって表されるWi-Fiシステムを含むがそれらに限定されない、無線ローカルエリアネットワークに適用されてよく、または、次世代Wi-Fiシステムまたは次世代無線ローカルエリアネットワークシステムに適用されてよい。
【手続補正１７】
【補正対象書類名】明細書
【補正対象項目名】０１８３
【補正方法】変更
【補正の内容】
【０１８３】
前述の方法を実行することができるデータ送信装置をさらに提供する。図11は、実施形態におけるデータ送信装置の概略構成図の例（例えば、アクセスポイント、局およびチップ等の図内の一部の構成要素は任意である）である。図11に示されるように、データ送信装置1200は、一般的なバスアーキテクチャとしてバス1201を使用することによって実施されてよい。バス1201は、データ送信装置1200の、具体的な適用および全体的な設計制約条件に従って、任意の数の相互接続されたバスおよびブリッジを含んでよい。バス1201を使用することによって、様々な回路が互いに接続される。これらの回路は、プロセッサ1202、記憶媒体1203およびバスインタフェース1204を含む。データ送信装置1200では、ネットワークアダプタ1205等が、バスインタフェース1204を使用することによって、バス1201を介して接続される。ネットワークアダプタ1205は、無線ローカルエリアネットワークにおける物理層の信号処理機能を実施し、アンテナ1207を使用することによって、無線周波数信号を送受信するように構成されてよい。ユーザインタフェース1206は、キーボード、ディスプレイ、マウスまたはジョイスティック等のユーザ端末に接続されてよい。バス1201は、タイミングソース、周辺デバイス、電圧レギュレータおよび電力管理回路等の様々な他の回路にさらに接続されてよい。これらの回路は、当該技術分野において知られている。従って、詳細は説明されない。
【手続補正１８】
【補正対象書類名】明細書
【補正対象項目名】０１８５
【補正方法】変更
【補正の内容】
【０１８５】
あるいは、データ送信装置1200は、プロセッサ1202、バスインタフェース1204およびユーザインタフェース1206を含むASIC（特定用途向け集積回路）と、記憶媒体1203の、単一チップに統合される少なくとも一部とを使用することによって実施されてよい。あるいは、データ送信装置1200は、本実施形態に記載の様々な機能を実行することができる、1つまたは複数のFPGA（フィールドプログラマブルゲートアレイ）、PLD（プログラマブルロジックデバイス）、コントローラ、ステートマシン、ゲートロジック、ディスクリートハードウェアコンポーネント、任意の他の適切な回路または回路の任意の組合せを使用することによって実施されてよい。
【国際調査報告】
2019501576.tif 000058
2019501576.tif 000059
2019501576.tif 000060
2019501576.tif 000061